(57)【特許請求の範囲】
【請求項１】
ワイヤレス通信のための方法であって、
２つ以上の送信時間間隔のうちの第１および第２の送信時間間隔において各々送信された第１および第２の基準信号が結合可能であるという指示を受信すること、ここにおいて、前記第１および第２の基準信号は、グループ識別またはユーザ機器（ＵＥ）識別に関連するリソースを使用して送信される、と、
前記リソースは、前記指示に関するレガシー領域および前記第１および第２の基準信号に関する低レイテンシー領域を備える、
前記低レイテンシー領域の送信時間間隔は、前記レガシー領域の送信時間間隔よりも短い継続時間を備える、
前記２つ以上の送信時間間隔のうちの前記第１および前記第２の送信時間間隔中に各々第１および第２の送信物を受信することと、
前記指示に少なくとも部分的に基づいて前記２つ以上の送信時間間隔のうちの前記第１および前記第２の送信時間間隔中に前記第１の送信物に含まれる前記第１の基準信号と、前記第２の送信物に含まれる前記第２の基準信号と、を結合することと、
を備える、ワイヤレス通信のための方法。
【請求項２】
前記指示を前記受信することは、
１つまたは複数の送信時間間隔に関するダウンリンクグラントを受信することと、
前記ダウンリンクグラントに少なくとも部分的に基づいて前記２つ以上の送信時間間隔のうちの前記第１および前記第２の送信時間間隔からの前記第１および前記第２の基準信号が結合されることができると決定することと、
を備える、請求項１に記載の方法。
【請求項３】
前記２つ以上の送信時間間隔のうちの前記第１および前記第２の送信時間間隔は、非連続的な送信時間間隔の所定の数内である、請求項２に記載の方法。
【請求項４】
前記指示は、スケジューリンググラントを通じて受信される請求項１に記載の方法。
【請求項５】
スクランブリングシーケンスにより前記第１および前記第２の基準信号の存在を決定することをさらに備え、ここにおいて、前記グループ識別は、前記スクランブリングシーケンスと関連する、請求項１に記載の方法。
【請求項６】
前記結合することは、
前記２つ以上の送信時間間隔のうちの前記第２の送信時間間隔中に前記２つ以上の送信時間間隔のうちの前記第１の送信時間間隔および前記第２の送信時間間隔からの前記第１および前記第２の基準信号を各々結合することと、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの前記第１、前記第２および第３の基準信号を結合することと、を備える、
請求項１に記載の方法。
【請求項７】
物理ダウンリンク共有チャネル（ＰＤＳＣＨ）送信は、前記第１および前記第２の基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
請求項６に記載の方法。
【請求項８】
ワイヤレス通信のための装置であって、
２つ以上の送信時間間隔のうちの第１および第２の送信時間間隔において各々送信された第１および第２の基準信号が結合可能であるという指示を受信するための手段、ここにおいて、前記第１および前記第２の基準信号は、グループ識別またはユーザ機器（ＵＥ）識別に関連するリソースを使用して送信される、と、
前記リソースは、前記指示に関するレガシー領域および前記第１および第２の基準信号に関する低レイテンシー領域を含む、
前記低レイテンシー領域の送信時間間隔は、前記レガシー領域の送信時間間隔よりも短い継続時間を備える、
前記２つ以上の送信時間間隔のうちの前記第１および前記第２の送信時間間隔中に各々第１および第２の送信物を受信するための手段と、
前記指示に少なくとも部分的に基づいて前記２つ以上の送信時間間隔のうちの前記第１および前記第２の送信時間間隔中に前記第１の送信物に含まれる前記第１の基準信号と、前記第２の送信物に含まれる前記第２の基準信号と、を結合するための手段と、
を備える、ワイヤレス通信のための装置。
【請求項９】
前記指示を受信するための前記手段は、
１つまたは複数の送信時間間隔に関するダウンリンクグラントを受信するための手段と、
前記ダウンリンクグラントに少なくとも部分的に基づいて前記２つ以上の送信時間間隔のうちの前記第１および前記第２の送信時間間隔からの前記第１および前記第２の基準信号が結合されることができると決定するための手段と、を備える、
請求項８に記載の装置。
【請求項１０】
前記２つ以上の送信時間間隔のうちの前記第１および前記第２の送信時間間隔は、非連続的な送信時間間隔の所定の数内である、
請求項８に記載の装置。
【請求項１１】
前記指示を受信するための前記手段は、スケジューリンググラントを通じて前記指示を受信するために動作可能である、
請求項８に記載の装置。
【請求項１２】
前記グループ識別は、スクランブリングシーケンスに関連し、および、ここにおいて、前記指示を受信するための前記手段は、
前記スクランブリングシーケンスにより前記第１および前記第２の基準信号の存在を決定するための手段を備える、
請求項８に記載の装置。
【請求項１３】
結合するための前記手段は、
前記２つ以上の送信時間間隔のうちの前記第２の送信時間間隔中に前記２つ以上の送信時間間隔のうちの前記第１の送信時間間隔および前記第２の送信時間間隔からの前記第１および前記第２の基準信号を各々結合するための手段と、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの前記第１、前記第２および第３の基準信号を結合するための手段と、
を備える、請求項８に記載の装置。
【請求項１４】
物理ダウンリンク共有チャネル（ＰＤＳＣＨ）送信は、前記第１および前記第２の基準信号が少なくとも前記第１の送信時間間隔および前記第２の送信時間間隔にわたって各々結合されるまで最初の低いランクを使用し、および、ＰＤＳＣＨ送信は、前記第２の送信時間間隔に引き続いてより高いランクを使用する、
請求項１３に記載の装置。
【請求項１５】
コンピュータ上で実行されるとき、請求項１から７のうちの一項に記載の方法を実行するための命令を備える、コンピュータプログラム。
【発明の詳細な説明】
【相互参照】
【０００１】
[0001]本特許出願は、それらの各々が本明細書の譲受人に譲渡され、２０１５年７月１３日に出願され、「Ｒｅｆｅｒｅｎｃｅ  Ｓｉｇｎａｌ  Ｔｒａｎｓｍｉｓｓｉｏｎ  ａｎｄ  Ａｖｅｒａｇｉｎｇ  ｆｏｒ  Ｗｉｒｅｌｅｓｓ  Ｃｏｍｍｕｎｉｃａｔｉｏｎｓ」と題し、Ｙｏｏ、等による、米国特許出願第１４／７９７，６４４号、および、２０１４年８月２８日に出願され、「Ｒｅｆｅｒｅｎｃｅ  Ｓｉｇｎａｌ  Ｔｒａｎｓｍｉｓｓｉｏｎ  ａｎｄ  Ａｖｅｒａｇｉｎｇ  ｆｏｒ  Ｗｉｒｅｌｅｓｓ  Ｃｏｍｍｕｎｉｃａｔｉｏｎｓ」と題し、Ｙｏｏ、等による、米国仮特許出願第６２／０４３，２１９号に対する優先権を主張する。
【技術分野】
【０００２】
[0002]以下は、概して、ワイヤレス通信に関し、より具体的には、ワイヤレス通信システムにおける異なるサービスに関する基準信号の送信および平均化のための技法に関する。
【背景技術】
【０００３】
[0003]ワイヤレス通信システムは、音声、映像、パケットデータ、メッセージング、ブロードキャスト、などのような様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００４】
[0004]例として、ワイヤレス多元接続通信システムは、各々がユーザ機器（ＵＥ）としても知られる複数の通信デバイスのための通信をサポートする幾つかの基地局を含み得る。基地局は、（例えば、基地局からＵＥへの送信のための）ダウンリンクチャネル上でおよび（例えば、ＵＥから基地局への送信のための）アップリンク上でＵＥと通信し得る。
【０００５】
[0005]これらの多元接続技術は、異なる無線デバイスが都市、国家、地域、さらには地球規模で通信することを可能にする共通プロトコルを提供するために様々な電気通信規格において採用されている。電気通信規格の例は、ロングタームエボリューション（ＬＴＥ（登録商標）：Ｌｏｎｇ  Ｔｅｒｍ  Ｅｖｏｌｕｔｉｏｎ）である。ＬＴＥは、スペクトル効率を向上させ、コストを削減し、サービスを向上させ、新しいスペクトルを利用し、および、他のオープン規格とより良く統合するように設計されている。ＬＴＥは、ダウンリンク（ＤＬ）上でＯＦＤＭＡを、アップリンク（ＵＬ）上で単一キャリア周波数分割多元接続（ＳＣ−ＦＤＭＡ）を、および多入力多出力（ＭＩＭＯ）アンテナ技術を使用し得る。
【０００６】
[0006]技術が進歩するのに応じて、ワイヤレス通信ネットワーク内の幾つかのより高度なモバイルデバイスは、ネットワーク内で動作するレガシーモバイルデバイスと異なるタイミング特性により送信された通信のための能力を有し得る。幾つかの例において、チャネル状態を推定することおよび送信物を信頼できる形で受信および復号することを支援するために基地局とＵＥとの間で基準信号が送信され得る。伝統的な展開によると、復調基準信号（ＤＭ−ＲＳ）のような幾つかのタイプの基準信号は、ＤＭ−ＲＳの異なる例に適用され得る潜在的な異なるプリコーディングに起因して結合され得ない。幾つかの状況では、異なるタイミング特性により動作する異なるモバイルデバイスに基づいてワイヤレス通信ネットワークの異なるタイプの基準信号を結合する上での柔軟性を提供することが望ましいであろう。
【発明の概要】
【０００７】
[0007]説明される特徴は、概して、異なるタイプの基準信号を結合するための１つまたは複数の改良されたシステム、方法、および／またはデバイスに関する。幾つかの例において、ワイヤレス通信ネットワークは、ユーザ機器（ＵＥ）が、基地局からＵＥに送信された、物理ダウンリンク共有チャネル（ＰＤＳＣＨ）、および／または他のダウンリンク送信物の復調をサポートするために複数の復調基準信号（ＤＭ−ＲＳ）を結合することを可能にするように構成され得る。幾つかの例において、基地局は、２つ以上の送信時間間隔において送信された基準信号が結合され得るという明示のシグナリングを提供し得る。幾つかの例において、２つ以上の送信時間間隔において送信された基準信号が結合可能であるという決定は、システム構成および以前の送信物に基づいて暗黙に行われ得る。明示のシグナリングまたは暗黙の決定に基づき、ＵＥは、ダウンリンク送信物の復調の際の使用のために２つ以上の基準信号の各々に含められた基準信号を結合し得る。
【０００８】
[0008]第１の組の実例的例において、ワイヤレス通信のための方法が説明される。一構成において、方法は、２つ以上の送信時間間隔において送信された基準信号が結合され得るという指示を受信することを含み得、ここで、基準信号は、グループ識別またはＵＥ識別に関連するリソースを使用して送信され得る。そのような構成において、方法は、２つ以上の送信時間間隔中に送信物を受信することを含み得る。さらに、そのような構成において、方法は、指示に少なくとも部分的に基づいて２つ以上の送信時間間隔中に送信物に含められた基準信号を結合することを含み得る。
【０００９】
[0009]第１の組の例により、ワイヤレス通信のための装置が説明される。一
構成において、装置は、２つ以上の送信時間間隔において送信された基準信号が結合され得るという指示を受信するための手段を含み得、ここで、基準信号は、グループ識別またはＵＥ識別に関連するリソースを使用して送信され得る。そのような構成において、装置は、２つ以上の送信時間間隔中に送信物を受信するための手段を含み得る。さらに、そのような構成において、装置は、指示に少なくとも部分的に基づいて２つ以上の送信時間間隔中に送信物に含められた基準信号を結合するための手段を含み得る。
【００１０】
[0010]第１の組の例により、ワイヤレス通信のための別の装置が説明される。一構成において、装置は、プロセッサと、プロセッサと電子的通信状態にあるメモリと、メモリに格納された命令と、を含み得る。命令は、２つ以上の送信時間間隔において送信された基準信号が結合され得るという指示を受信するためのプロセッサによって実行可能であり得、ここで、基準信号は、グループ識別またはＵＥ識別に関連するリソースを使用して送信され得る。さらに、命令は、２つ以上の送信時間間隔中に送信物を受信するためにプロセッサによって実行可能であり得る。さらに、命令は、指示に少なくとも部分的に基づいて２つ以上の送信時間間隔中に送信物に含められた基準信号を結合するためにプロセッサによって実行可能であり得る。
【００１１】
[0011]第１の組の例により、ワイヤレス通信のためのコンピュータによって実行可能なコードを格納する非一時的なコンピュータ可読媒体が説明される。一構成において、コードは、２つ以上の送信時間間隔において送信された基準信号が結合され得るという指示を受信するためにプロセッサによって実行可能であり得、ここで、基準信号は、グループ識別またはＵＥ識別に関連するリソースを使用して送信され得る。さらに、コードは、２つ以上の送信時間間隔中に送信物を受信するためにプロセッサによって実行可能であり得る。さらに、コードは、指示に少なくとも部分的に基づいて２つ以上の送信時間間隔中に送信物に含められた基準信号を結合するためにプロセッサによって実行可能であり得る。
【００１２】
[0012]第１の組の例の方法、装置、および／または非一時的なコンピュータ可読媒体の幾つかの態様において、指示は、明示のシグナリングを通じて受信され、ここで、基準信号は、グループ識別またはＵＥ識別に関連するリソースを使用して送信され得る。指示は、幾つかの例では、１つまたは複数の制御信号において受信され得る。幾つかの例において、指示は、１つまたは複数の送信時間間隔に関するダウンリンクグラント（ｇｒａｎｔ）において受信され得、２つ以上の送信時間間隔からの基準信号が結合されることができるという決定は、ダウンリンク許可に少なくとも部分的に基づき得る。幾つかの例において、２つ以上の送信時間間隔は、連続的な送信時間間隔でありおよび／または非連続的な送信時間間隔の所定の数内にある。
【００１３】
[0013]第１の組の例の方法、装置、および／または非一時的なコンピュータ可読媒体の幾つかの態様において、指示は、スケジューリンググラントを通じて受信される。幾つかの場合、指示は、スケジューリンググラントを送信するために使用される制御チャネルフォーマットを通じて受信される。他の例において、基準信号の結合は、スケジューリンググラントおよび少なくとも１つ他の送信物が連続する送信時間間隔の設定された数内で送信されると決定することに少なくとも部分的に基づいて決定され得る。
【００１４】
[0014]幾つかの例において、基準信号が結合され得るという指示は、グループ識別に基づき得る。グループ識別は、例えば、基準信号スクランブリングシーケンスと関連され得、スクランブリングシーケンスにより基準信号の存在の決定が行われ得る。幾つかの例において、基準信号は、基準信号に関連するグループ識別が２つ以上の送信時間間隔において同じであるときに結合される。
【００１５】
[0015]第１の組の例の方法、装置、および／または非一時的なコンピュータ可読媒体の幾つかの態様において、基準信号を結合することは、２つ以上の送信時間間隔の第２の時間間隔中に２つ以上の送信時間間隔の第１の送信時間間隔および第２の送信時間間隔からの基準信号を結合することと、２つ以上の送信時間間隔の第３の送信時間間隔中に２つ以上の送信時間間隔の第１の送信時間間隔、第２の送信時間間隔、および第３の送信時間間隔からの基準信号を結合することと、を含み得る。幾つかの例において、２つ以上の送信時間間隔は、各々、第２のタイプの送信時間間隔の継続時間よりも小さい継続時間を有する第１のタイプの送信時間間隔を備える。幾つかの例において、物理ダウンリンク共有チャネル（ＰＤＳＣＨ）送信は、基準信号が少なくとも第１の送信時間間隔および第２の送信時間間隔にわたって結合されるまで最初の低いランクを使用し得、ＰＤＳＣＨ送信は、第２の送信時間間隔に引き続いてより高いランクを使用し得る。
【００１６】
[0016]第２の組の実例的例において、ワイヤレス通信のための方法が説明される。一構成において、方法は、少なくとも１つユーザ機器（ＵＥ）が２つ以上の送信時間間隔において送信された基準信号を結合するように構成されると決定することを含み得、ここで、基準信号は、グループ識別またはＵＥ識別に関連するリソースを使用して送信され得る。そのような構成において、方法は、２つ以上の送信時間間隔において送信された基準信号が結合され得るという指示を送信することを含み得る。さらに、そのような構成において、方法は、２つ以上の送信時間間隔中に基準信号を送信することを含み得る。
【００１７】
[0017]第２の組の例により、ワイヤレス通信のための装置が説明される。一構成において、装置は、少なくとも１つユーザ機器（ＵＥ）が２つ以上の送信時間間隔において送信された基準信号を結合するように構成されると決定するための手段を含み得、ここで、基準信号は、グループ識別またはＵＥ識別に関連するリソースを使用して送信され得る。そのような構成において、装置は、２つ以上の送信時間間隔において送信された基準信号が結合され得るという指示を送信するための手段を含み得る。さらに、装置は、２つ以上の送信時間間隔中に基準信号を送信するための手段を含み得る。
【００１８】
[0018]第２の組の例により、ワイヤレス通信のための装置が説明される。一構成において、装置は、プロセッサと、プロセッサと電子的通信状態にあるメモリと、メモリに格納された命令と、を含み得る。命令は、少なくとも１つユーザ機器（ＵＥ）が２つ以上の送信時間間隔において送信された基準信号を結合するように構成されると決定するためにプロセッサによって実行可能であり得、ここで、基準信号は、グループ識別またはＵＥ識別に関連するリソースを使用して送信され得る。さらに、命令は、２つ以上の送信時間間隔において送信された基準信号が結合され得るという指示を送信するためにプロセッサによって実行可能であり得る。さらに、命令は、２つ以上の送信時間間隔中に基準信号を送信するためにプロセッサによって実行可能であり得る。
【００１９】
[0019]第２の組の例により、ワイヤレス通信のためのコンピュータによって実行可能なコードを格納する非一時的なコンピュータ可読媒体が説明される。一構成において、コードは、少なくとも１つユーザ機器（ＵＥ）が２つ以上の送信時間間隔において送信された基準信号を結合するように構成されると決定するためにプロセッサによって実行可能であり得、ここで、基準信号は、グループ識別またはＵＥ識別に関連するリソースを使用して送信され得る。さらに、コードは、２つ以上の送信時間間隔において送信された基準信号が結合され得るという指示を送信するためにプロセッサによって実行可能であり得る。さらに、コードは、２つ以上の送信時間間隔中に基準信号を送信するためにプロセッサによって実行可能であり得る。
【００２０】
[0020]第２の組の例の方法、装置、および／または非一時的なコンピュータ可読媒体の幾つかの態様において、指示の送信は、２つ以上の送信時間間隔における基準信号が結合可能であることを示すシグナリングを送信することを含み得る。幾つかの例において、指示の送信は、１つまたは複数の送信時間間隔に関してダウンリンクグラントを送信することを含み得、ダウンリンクグラントは、２つ以上の送信時間間隔からの基準信号がダウンリンクグラントに少なくとも部分的に基づいて結合されることができることを示し、ここで、基準信号は、グループ識別またはＵＥ識別に関連するリソースを使用して送信され得る。他の例において、指示の送信は、１つまたは複数の制御チャネル送信物を送信することを含み得、および、ここにおいて、基準信号が結合され得るという指示は、制御チャネル送信物を送信するために使用される制御チャネルフォーマットから推論される。
【００２１】
[0021]第２の組の例の方法、装置、および／または非一時的なコンピュータ可読媒体の幾つかの態様において、基準信号が結合され得るという指示は、ＵＥに送信されたグループ識別から推論され得る。グループ識別は、例えば、基準信号スクランブリングシーケンスに関連され得る。さらなる態様において、基準信号の送信は、第１のランクを使用して第１の送信時間間隔中に第１の物理ダウンリンク共有チャネル（ＰＤＳＣＨ）送信中に第１の基準信号を送信することと、第１のランクよりも高いランクを使用して引き続くＰＤＳＣＨ送信中に第２の基準信号を送信することと、を含み得る。
【００２２】
[0022]上記は、後続する詳細説明がより良く理解され得るようにするために本開示による例の特徴および技術的利点をかなりおおまかに概説したものである。追加の特徴および利点が以下において説明される。開示される概念および具体例は、本開示の同じ目的を実行するために他の構造を変更または設計するための基礎として容易に利用され得る。そのような同等の構造は、添付された請求項の範囲から逸脱するものではない。本明細書において開示される概念の特徴、それらの構成および動作の方法の両方は、関連する利点とともに、添付される図に関連させて検討されたときに以下の説明からより良く理解されるであろう。それらの図の各々は、例示および説明のみを目的として提供され、請求項の範囲の限界の設定として提供されるものではない。
【図面の簡単な説明】
【００２３】
[0023]以下の図面の参照によって本発明の性質および利点のさらなる理解が実現され得る。添付される図において、同様のコンポーネントまたは特徴は、同じ参照ラベルを有し得る。さらに、さらに、同じタイプの様々なコンポーネントは、ダッシュおよび同様のコンポーネントを区別する第２のラベルが参照ラベルに後続することによって区別され得る。第１の参照ラベルのみが明細書において使用される場合は、説明は、第２の参照ラベルにかかわらず同じ第１の参照ラベルを有する同様のコンポーネントのうちのいずれの１つにも適用可能である。
【図１】[0024]  図１は、本開示の様々な態様による、ワイヤレス通信システムのブロック図を示す。
【図２】[0025]  図２は、本開示の様々な態様による、ワイヤレス通信システムにおけるレガシー通信のために予約され得るサブフレーム内の幾つかの基準信号に関する幾つかのサブフレームおよびリソースの例を概念的に示した概略図である。
【図３】[0026]  図３は、本開示の様々な態様による、ワイヤレス通信システムにおいて使用され得るレガシーおよび低レイテンシーリソース、および結合可能な基準信号の例を概念的に示した概略図である。
【図４】[0027]  図４は、本開示の様々な態様による、ワイヤレス通信システムにおける基準信号送信のためのパイロット構造の例を概念的に示した概略図である。
【図５】[0028]  図５は、本開示の様々な態様による、ワイヤレス通信システムにおいて使用され得るレガシーおよび低レイテンシーリソース、および基準信号制御シグナリングの例を概念的に示した概略図である。
【図６】[0029]  図６は、本開示の様々な態様による、ワイヤレス通信システムにおいて使用され得るレガシーおよび低レイテンシーリソース、および基準信号のグループＩＤをベースにした結合の例を概念的に示した概略図である。
【図７】[0030]  図７は、本開示の様々な態様による、ワイヤレス通信における使用のために構成されたデバイスのブロック図を示す。
【図８】[0031]  図８は、本開示の様々な態様による、ワイヤレス通信における使用のために構成されたデバイスのブロック図を示す。
【図９】[0032]  図９は、本開示の様々な態様による、ワイヤレス通信システムのブロック図を示す。
【図１０】[0033]  図１０は、本開示の様々な態様による、ワイヤレス通信における使用のための装置のブロック図を示す。
【図１１】[0034]  図１１は、本開示の様々な態様による、ワイヤレス通信における使用のための装置のブロック図を示す。
【図１２】[0035]  図１２は、本開示の様々な態様による、ワイヤレス通信における使用のための基地局（例えば、ｅＮＢの一部または全体を形成する基地局）のブロック図を示す。
【図１３】[0036]  図１３は、本開示の様々な態様による、多入力／多出力通信システムのブロック図を示す。
【図１４】[0037]  図１４は、本開示の様々な態様による、ワイヤレス通信のための方法の例を示したフローチャートである。
【図１５】[0038]  図１５は、本開示の様々な態様による、ワイヤレス通信のための方法の例を示したフローチャートである。
【図１６】[0039]  図１６は、本開示の様々な態様による、ワイヤレス通信のための方法の別の例を示したフローチャートである。
【図１７】[0040]  図１７は、本開示の様々な態様による、ワイヤレス通信のための方法の別の例を示したフローチャートである。
【発明を実施するための形態】
【００２４】
[0041]異なるタイプの基準信号を結合するための技法が説明される。幾つかの例において、ワイヤレス通信ネットワークは、ユーザ機器（ＵＥ）が、基地局からＵＥに送信された、物理ダウンリンク共有チャネル（ＰＤＳＣＨ）、および／または他のダウンリンク送信物の復調をサポートするために複数の復調基準信号（ＤＭ−ＲＳ）を結合することを可能にするように構成され得る。ＤＭ−ＲＳはまた、ＵＥ固有基準信号（ＵＥ−ＲＳ）と呼ばれ得る。幾つかの例により、制御チャネル（例えば、物理ダウンリンク制御チャネル（ＰＤＣＣＨ））基準信号および共有チャネル（例えば、ＰＤＳＣＨ）基準信号の両方からの基準信号が結合され得る。様々な例により、２つ以上の送信時間間隔（ＴＴＩ）中に送信された２つ以上の基準信号が結合され得るという決定は、２つ以上のＴＴＩにおいて送信された基準信号が結合され得るという明示のシグナリングを通じて行え得る。幾つかの例において、ＵＥは、システム構成および以前の基準信号が送信されて以降のＴＴＩの数のような様々な送信物の暗黙の特徴を基準信号が結合され得ると決定するために使用し得る。明示のシグナリングまたは暗黙の決定に基づき、ＵＥは、ダウンリンク送信物の復調の際の使用のために２つ以上の基準信号の各々内に含められた基準信号を結合し得る。
【００２５】
[0042]以下の説明は、例を提供するものであり、請求項において示される範囲、適用可能性、または例を限定するものではない。本開示の適用範囲から逸脱することなしに論じられている要素の機能および配置の変更が行われ得る。様々な例は、様々なプロシージャまたはコンポーネントを適宜省略、置換、または追加し得る。例えば、説明される方法は、説明される順序と異なるそれで実行され得、様々なステップが追加、省略、または結合され得る。さらに、幾つかの例に関して説明される特徴は、他の例において結合され得る。
【００２６】
[0043]図１は、本開示の様々な態様によるワイヤレス通信システム１００の例を示す。ワイヤレス通信システム１００は、基地局１０５と、ＵＥ１１５と、コアネットワーク１３０と、を含む。コアネットワーク１３０は、ユーザ認証、アクセス権限、トラッキング、インターネットプロトコル（ＩＰ）接続性、および他のアクセス、ルーティング、またはモビリティ機能を提供し得る。基地局１０５は、バックホールリンク１３２（例えば、ＳＩ、等）を通じてコアネットワーク１３０とインタフェースし、および、ＵＥ１１５との通信のための無線構成およびスケジューリングを実行し得、または、基地局コントローラ（示されていない）の制御下で動作し得る。様々な例において、基地局１０５は、有線または無線通信リンクであり得るバックホールリンク１３４（例えば、Ｘ１、等）を通じて互いと直接または（例えば、コアネットワーク１３０を通じて）間接的に通信し得る。
【００２７】
[0044]基地局１０５は、１本または複数本の基地局アンテナを介してＵＥ１１５と無線で通信し得る。基地局１０５サイトの各々は、各々の地理上のカバレッジエリア１１０に関する通信カバレッジを提供し得る。幾つかの例において、基地局１０５は、ベーストランシーバ局、無線基地局、アクセスポイント、無線トランシーバ、ＮｏｄｅＢ、ｅＮｏｄｅＢ（ｅＮＢ）、ホームＮｏｄｅＢ、ホームｅＮｏｄｅＢ、または何らかの他の適切な用語と呼ばれ得る。基地局１０５に関する地理上のカバレッジエリア１１０は、カバレッジエリア（示されていない）の一部分のみを成すセクタに分割され得る。ワイヤレス通信システム１００は、異なるタイプの基地局１０５（例えば、マクロおよび／またはスモールセル基地局）を含み得る。異なる技術に関して重複する地理上のカバレッジエリアが存在し得る。
【００２８】
[0045]幾つかの例において、ワイヤレス通信システム１００は、確立されたＬＴＥ通信プロトコルによるレガシー通信、および／または、レガシー通信と比較して減少されたＴＴＩ（および短縮された往復時間）を有する低レイテンシー通信のような２つ以上の異なるタイプの通信を使用して動作するように構成され得る。ＬＴＥ／ＬＴＥ−Ａネットワークにおいて、用語発展型ノードＢ（ｅＮＢ）は、概して、基地局１０５について説明するために使用され得、他方、用語ＵＥは、概して、ＵＥ１１５について説明するために使用され得る。ワイヤレス通信システム１００は、異なるタイプのｅＮＢが様々な地理上の地域に関するカバレッジを提供するヘテロジェニアスＬＴＥ／ＬＴＥ−Ａネットワークであり得る。例えば、各ｅＮＢまたは基地局１０５は、マクロセル、スモールセル、および／または他のタイプのセルに関する通信カバレッジを提供し得る。用語「セル」は、文脈に依存して、基地局、基地局に関連するキャリアまたはコンポーネントキャリア、または、キャリアまたは基地局のカバレッジエリア（例えば、セクタ、等）について説明するために使用されることができる第３世代パートナーシッププロジェクト（３ＧＰＰ（登録商標））用語である。
【００２９】
[0046]マクロセルは、概して、相対的に大きな地理上のエリア（例えば、半径数キロメートル）を網羅し得、および、ネットワークプロバイダとのサービス加入契約を有するＵＥによる無制限のアクセスを許容し得る。スモールセルは、マクロセルと同じまたは異なる（例えば、免許が付与された、免許が付与されない、等）周波数帯域内で動作し得る、マクロセルと比較してより低い電力の基地局である。スモールセルは、様々な例によりピコセルと、フェムトセルと、マイクロセルと、を含み得る。ピコセルは、相対的にそれよりも小さい地理上のエリアを網羅し得、および、ネットワークプロバイダとのサービス加入契約を有するＵＥによる無制限のアクセスを許容し得る。フェムトセルもまた、相対的に小さい地理上のエリア（例えば、自宅）を網羅し得、および、フェムトセルとの関連性を有するＵＥ（例えば、クローズド加入者グループ（ＣＳＧ）内のＵＥ１１５、自宅内のユーザのためのＵＥ１１５、および同様の物）による制限されたアクセスを提供し得る。マクロセルに関するｅＮＢは、マクロｅＮＢと呼ばれ得る。スモールセルに関するｅＮＢは、スモールセルｅＮＢ、ピコｅＮＢ、フェムトｅＮＢまたはホームｅＮＢと呼ばれ得る。ｅＮＢは、１つまたは複数（２つ、３つ、４つ、および同様）のセル（例えば、コンポーネントキャリア）をサポートし得る。
【００３０】
[0047]ワイヤレス通信システム１００は、同期的または非同期的動作をサポートし得る。同期的動作に関しては、基地局は、同様のフレームタイミングを有し得、異なる基地局からの送信は、時間の点でほぼ整合され得る。非同期的動作に関しては、基地局は、異なるフレームタイミングを有し得、異なる基地局からの送信は、時間的に整合し得ない。本明細書において説明される技法は、同期的動作または非同期的動作のいずれに関しても使用され得る。
【００３１】
[0048]幾つかの例において、レガシー通信と呼ばれる３ＧＰＰ  ＬＴＥおよびＬＴＥ−Ａと互換可能である（例えば、リリース１０、１１、および１２と互換可能である）、ワイヤレス通信システム１００のシステム帯域幅内の予約されたリソースが特定され得る。以下においてさらに詳細に説明されるように、
システム帯域幅内の残りのリソースの全部または一部は、低レイテンシー通信のような他のタイプの通信のために割り振られ得る。他の通信のために割り振られたリソースを示すためにシグナリングが使用され得、および、幾つかの基準信号が結合され得ることを示すためのシグナリングを含み得る。
【００３２】
[0049]様々な開示された例のうちの一部を受け入れ得る通信ネットワークは、層化されたプロトコルスタックにより動作するパケットをベースにしたネットワークであり得る。ユーザプレーンにおいて、ベアラまたはパケットデータコンバージェンスプロトコル（ＰＤＰＣ）層における通信は、ＩＰに基づき得る。無線リンク制御（ＲＬＣ）層は、論理チャネルを通じて通信するためにパケット分割および再組み立てを実行し得る。メディアアクセス制御（ＭＡＣ）層は、論理チャネルの優先的取り扱いおよびトランスポートチャネルへの多重化を実行し得る。ＭＡＣ層はまた、リンク効率を向上させるためにＭＡＣ層において再送信を提供するためにハイブリッドＡＲＱ（ＨＡＲＱ）を使用し得る。制御プレーンにおいて、無線リソース制御（ＲＲＣ）プロトコル層は、ＵＥ１１５と基地局１０５またはユーザプレーンデータのための無線ベアラをサポートするコアネットワーク１３０との間でのＲＲＣ接続の確立、構成、および保守を提供し得る。物理（ＰＨＹ）層において、トランスポートチャネルは、物理チャネルにマッピングされ得る。
【００３３】
[0050]ＵＥ１１５は、ワイヤレス通信システム１００全体にわたって分散され、各ＵＥ１１５は、静止型または移動型であり得る。ＵＥ１１５はまた、移動局、加入者局、モバイルユニット、加入者ユニット、無線ユニット、遠隔ユニット、モバイルデバイス、無線デバイス、ワイヤレス通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語を含み得または当業者によってそれらの用語と呼ばれ得る。ＵＥ１１５は、機械型通信（ＭＴＣ）デバイス、携帯電話、携帯情報端末（ＰＤＡ）、無線モデム、無線通信デバイス、ハンドヘルドデバイス、タブレットコンピュータ、ラップトップコンピュータ、コードレスフォン、ワイヤレスローカルループ（ＷＬＬ）局、または同様の物であり得る。幾つかの実装において、ＭＴＣデバイスは、車両、センサ、および／または、計器（ガスまたはパーキングメーター）、家庭用機器、医療機器、または他のモニタリングデバイスのような、ＭＴＣデバイスを使用し得る数多くの他の用途のうちのいずれかの中に含められ得またはそれらと連繋して動作し得る。ＵＥは、マクロｅＮＢと、スモールセルｅＮＢと、中継基地局と、同様の物とを含む様々なタイプの基地局およびネットワーク装置と通信することができる。
【００３４】
[0051]ワイヤレス通信システム１００において示される通信リンク１２５は、ＵＥ１１５から基地局１０５へのアップリンク（ＵＬ）送信、および／または、基地局１０５からＵＥ１１５へのダウンリンク（ＤＬ）送信を含み得る。ダウンリンク送信はまた、順方向リンク送信と呼ばれ得、アップリンク送信はまた、逆方向リンク送信と呼ばれ得る。各通信リンク１２５は、１つまたは複数のキャリアを含み得、ここで、各キャリアは、上述される様々な無線技術により変調された複数のサブキャリア（例えば、異なる周波数の波形信号）から成る信号であり得る。各々の変調された信号は、異なるサブキャリア上で送信され得、および、制御情報（例えば、基準信号、制御チャネル、等）、オーバーヘッド情報、ユーザデータ、等を搬送し得る。通信リンク１２５は、（例えば、対になったスペクトルリソースを使用する）ＦＤＤまたは（例えば、対でないスペクトルリソースを使用する）ＴＤＤ動作を使用して双方向通信を送信し得る。ＦＤＤ（例えば、フレーム構造タイプ１）およびＴＤＤ（例えば、フレーム構造タイプ２）に関するフレーム構造が定義され得る。
【００３５】
[0052]システム１００の幾つかの実施形態において、基地局１０５および／またはＵＥ１１５は、基地局１０５とＵＥ１１５との間の通信品質および信頼性を向上させるためにアンテナダイバーシティ方式を使用するための複数のアンテナを含み得る。さらに加えてまたは代替として、基地局１０５および／またはＵＥ１１５は、同じまたは異なるコーディングされたデータを搬送する複数の空間層を送信するために多経路環境を利用し得る多入力多出力（ＭＩＭＯ）技法を使用し得る。
【００３６】
[0053]ワイヤレス通信システム１００は、キャリアアグリゲーション（ＣＡ）またはマルチキャリア動作と呼ばれ得る特徴である、複数のセルまたはキャリア上での動作をサポートし得る。キャリアはまた、コンポーネントキャリア（ＣＣ）、レイヤ、チャネル、等と呼ばれ得る。用語「キャリア」、「コンポーネントキャリア」、「セル」、および「チャネル」は、本明細書においては互換可能な形で使用され得る。ＵＥ１１５は、キャリアアグリゲーションに関する複数のダウンリンクＣＣおよび１つまたは複数のアップリンクＣＣによって構成され得る。キャリアアグリゲーションは、ＦＤＤおよびＴＤＤの両方のコンポーネントキャリアに関して使用され得る。
【００３７】
[0054]上述されるように、様々な例は、複数の異なるタイプの通信をサポートし得る、図１のワイヤレス通信システム１００のようなワイヤレス通信システムにおいて通信を提供する。例えば、第１のレイテンシーモードにより動作し得る第１のタイプの通信は、レガシーＬＴＥ通信に関して規定されたフレーム構造、スロット、シンボルおよびサブキャリア間隔を使用し得る。例えば、ＬＴＥ／ＬＴＥ−Ａにおける時間間隔は、基本的な時間単位の倍数で表され得る（例えば、サンプリング期間Ｔｓ＝１／３０，７２０，０００秒）。時間リソースは、１０ｍｓ（Ｔｆ＝３０７２００・Ｔｓ）の長さの無線フレームにより構成され得、それは、０乃至１０２３の範囲のシステムフレーム番号（ＳＦＮ）によって識別され得る。各フレームは、０乃至９の番号が付された１０個の１ｍｓサブフレームを含み得る。サブフレームは、２つの０．５ｍｓのスロットにさらに分割され得、それらの各々は、（各シンボルの先頭に添付されたサイクリックプリフィックスの長さに依存して）６つまたは７つの変調シンボル期間を含む。サイクリックプリフィックス以外では、各シンボルは、２０４８のサンプル期間を含む。さらに、第１のレイテンシーモードでの通信は、ダウンリンク通信の場合のページングまたは制御チャネルを通じて、および、アップリンク通信の場合のスケジューリング要求およびランダムアクセスプロシージャを通じてのような、レガシーＬＴＥ技法を通じて開始され得る。
【００３８】
[0055]第２のタイプの通信は、例えば、第２のレイテンシーモード、すなわち、送信とその送信の肯定応答との間の往復時間（ＲＴＴ）がレガシー通信に関するＲＴＴと比較して短縮される低レイテンシーモード、により動作し得る。さらに、低レイテンシーモードでの通信は、例えば、レガシーＬＴＥシンボルと比較して短縮されたシンボル継続時間を通じて、短縮された送信時間間隔（ＴＴＩ）を有するシンボルを使用し得る。従って、幾つかの場合、レガシーＬＴＥサブフレームは、最小のスケジューリング単位、すなわちＴＴＩ、であり得る。低レイテンシー動作または低レイテンシーモードをサポートするシステムを含む他の場合は、ＴＴＩは、サブフレームよりも短いことができ、または、送信バーストで（例えば、短いＴＴＩバーストでまたは短いＴＴＩを使用した選択されたコンポーネントキャリアで）使用され得る。幾つかの場合、１つまたは複数のシンボルがより短いＴＴＩのために使用され得、ここで、各ＴＴＩは、アップリンクまたはダウンリンクシンボルであり得る。システム１００は、異なる継続時間のＴＴＩを有するＵＥ１１５動作をサポートし得、そのようなシステムでは、より長い継続時間のＴＴＩはレガシーＴＴＩと呼ばれ得、より短い継続時間のＴＴＩは低レイテンシーＴＴＩと呼ばれ得る。第１および／または第２のタイプの通信による通信は、そのような通信のために利用可能なワイヤレス通信システム１００内のリソースを割り振ることによって提供され得る。例えば、２つ以上の低レイテンシーＴＴＩにおいて送信された基準信号は、結合され得る。
【００３９】
[0056]図２は、送信され得る無線フレーム２００および異なるサブフレーム２０５および２１０の例を概念的に示した概略図である。図２の無線フレームは、例えば、１つまたは複数の基地局１０５および／または１つまたは複数のＵＥ１１５の間で図１に関連して説明されるワイヤレス通信システム１００の一部分を使用して送信され得る。上述されるように、異なるタイプのＵＥ（例えば、図１のＵＥ１１５）が提供され得、および、異なる能力を有し得る。例えば、レガシーＵＥは、レガシープロトコルにより通信を送信および受信することが可能であり得、他方、他のＵＥは、低レイテンシーまたは他のタイプの通信を送信および受信することが可能であり得る。レガシーＵＥとの互換性を維持するために、異なる通信タイプの各々の通信は、レガシーＵＥとのレガシー通信のために使用されることができる一組のリソースを保持し得る。レガシープロトコルは、ＬＴＥ／ＬＴＥ−Ａの以前のリリース（例えば、ＬＴＥ／ＬＴＥ−Ａリリース１２またはそれ以前）を意味し得、レガシーＵＥは、通信規格のより新しい（例えば、ＬＴＥ−Ａリリース１２よりも後の）バージョンを除くそのようなプロトコルを実装するＵＥを意味し得る。
【００４０】
[0057]図２は、１０ｍｓの無線フレームを構成する１ｍｓのサブフレーム２０５、２１０を提供するレガシーＵＥによって認識されるラスタスペーシングにより送信され得る様々なリソースの例を示す。各サブフレーム２０５、２１０内において、サブフレーム２０５、２１０の第１のシンボル内で物理ダウンリンク制御チャネル（ＰＤＣＣＨ）２１５信号が提供され、それは、様々なレガシー制御情報を提供し得る。レガシー通信のための、図２においてサブフレーム２０５として示される、５つ目ごとのサブフレームは、レガシーＵＥによって予想される幾つかのタイプの同期化およびブロードキャストシグナリングを含み得る。そのようなシグナリングは、プライマリ同期信号（ＰＳＳ）と、セカンダリ同期信号（ＳＳＳ）と、物理ブロードキャストチャネル（ＰＢＣＨ）と、を含み得る。このシグナリングは、サブフレーム２０５の中央の６つのリソースブロック内のＰＳＳ／ＳＳＳ／ＰＢＣＨ領域２２０で提供される。さらに、共通基準信号（ＣＲＳ）２２５が、ＰＤＣＣＨ２１５内でおよびＰＳＳ／ＳＳＳサブフレーム２０５内のシステム帯域幅の少なくとも一部分にわたって送信される。ＣＲＳ２２５は、セル内の多くのまたはすべてのＵＥに共通する（例えば、セル内の多くのまたはすべてのＵＥによって復号可能な）リソース上で送信され得る。ＣＲＳ２２５は、例えば、ブロードキャストされ得、従って、グループ識別子（ＩＤ）またはＵＥ  ＩＤに関連するリソース上で送信され得ない。レガシー通信のためのこれらのリソースは、様々な例により、レガシーＵＥとの互換性を提供するために維持される予約されたリソースであり得る。残りのリソースは、低レイテンシー通信を提供する低レイテンシーチャネルのような、レガシーチャネルと１つまたは複数の他のチャネルとの間で共有され得る。
【００４１】
[0058]今度は図３に関連し、本開示の態様による、ワイヤレス通信システムの異なるリソースを使用する低レイテンシー通信の例を概念的に示すブロック図３００が説明される。図３の通信は、例えば、１つまたは複数の基地局１０５（例えば、ｅＮＢ）と１つまたは複数のＵＥ１１５との間で図１に関連して説明されるワイヤレス通信システム１００の一部分を使用して送信され得る。図３の例において、システム帯域幅３０５内の無線リソースは、レガシー制御領域３１０と、低レイテンシー領域３１５と、を含み得る。そのような構成は、ＦＤＭ通信またはＴＤＭ通信のいずれかとともに使用され得る。レガシー制御領域３１０は、幾つかの例においては、各サブフレームの最初の１つまたは２つのシンボルを含み得、それは、様々なレガシー制御情報とシグナリング情報とを含み得る。幾つかの例において、レガシー制御領域はまた、図２に関して上述されるように、幾つかのサブフレームの中央の６つのリソースブロックとＣＲＳリソース要素とを含み得る。
【００４２】
[0059]低レイテンシー領域３１５内で、レガシーシンボルのＴＴＩと比較して短縮されたＴＴＩを有する幾つかのシンボル３２０が送信され得る。シンボル３２０のうちの１つまたは複数内で、基地局は、ＤＭ−ＲＳ３２５を送信し得る。ＤＭ−ＲＳ３２５は、ＵＥ−ＲＳと呼ばれ得、ＵＥ識別（ＩＤ）に関連するリソース上でまたはリソースを使用して送信され得る。上記のように、幾つかの例において、ＤＭ−ＲＳ３２５のような基準信号は、複数のＴＴＩのシンボル３２０において送信され得る。さらに、そのようなＤＭ−ＲＳは、ＰＤＳＣＨ送信中に送信され得、および、プリコーディングが送信に適用され得る。異なる送信が異なるプリコーディングを有する場合は、異なるＴＴＩ中に送信された基準信号は、信頼できる情報を得るために結合され得ない。
【００４３】
[0060]幾つかの例により、基地局は、１つまたは複数のＵＥが低レイテンシー通信のために構成され得ると決定し得、および、１つまたは複数のＵＥの各々が複数のＴＴＩからの基準信号を結合し得るようにするために複数のＴＴＩにわたって同じプリコーディングを維持し得る。図３において示されるような幾つかの例において、ＵＥは、異なるシンボル３２０からの複数のＤＭ−ＲＳ送信が結合され得ると暗黙に決定し得る。そのような暗黙の決定は、例えば、ＵＥへの異なるＴＴＩのスケジューリングの特徴に基づいて行われ得る。幾つかの例において、ＵＥが連続するＴＴＩ３３５に関してスケジューリングされる場合は一組のＤＭ−ＲＳ送信３３０が結合され得る。例えば、ＵＥは、２つ以上の連続するＴＴＩ内の基準信号を結合し得、および、ダウンリンク送信物のエンハンスされた復調を提供するために複数のＴＴＩからの基準信号を平均化し得る。幾つかの例において、ＵＥが前のＴＴＩにおいてスケジューリングされなかった場合は、ＵＥは、現在のＴＴＩからの基準信号を使用し得、ＵＥが１つまたは複数の以前のＴＴＩにおいてスケジューリングされた場合は、ＵＥは、（同じポートの）以前の基準信号を使用し得る。結合することのそのような暗黙の決定は、幾つかの例においては、複数のＴＴＩにネスティング（ｎｅｓｔ）され得る。
【００４４】
[0061]幾つかの例において、ＵＥは、基準信号が連続するシンボル３２０において送信されず、１つまたは複数の隣接してないシンボル３２０において送信されるときに基準信号は結合され得ると暗黙に決定し得る。図３の例において、隣接するシンボル３４５および３５０中に、および隣接していないシンボル３５５において一組のＤＭ−ＲＳ送信物３４０が送信され得る。この例において、ＵＥが過去のＮの数のＴＴＩにおいて少なくとも１回スケジューリングされた場合は、ＵＥは、期間内からのグラントにより基準信号を結合し得る。例えば、ＵＥが現在のＴＴＩにおいておよび過去のＮの数（例えば、３、５、６）のＴＴＩにおいて少なくとも１回スケジューリングされた場合は、ＵＥは、異なるＴＴＩからの基準信号を結合し得る。ＵＥが過去のＮの数のＴＴＩ内にスケジューリングされなかった場合は、ＵＥは、現在のＴＴＩからの基準信号を使用し得る。幾つかの例において、基準信号を結合することは、以前のスケジューリングされたＴＴＩに戻るためにネスティングされ得る。
【００４５】
[0062]そのようなＤＭ−ＲＳ３２５送信の結合を通じて、システムは、より正確なチャネルノイズ推定（部分的ローディングなし）も決定する一方で、レガシーＤＭ−ＲＳ送信の利益を維持し得る。さらに、そのような結合することは、オンデマンドパイロットオーバーヘッドおよび低減された制御オーバーヘッド（すなわち、ＰＭＩシグナリングなし）を可能にし得る。そのような結合することはまた、拡張されたＭＩＭＯ動作および／または拡張された調整されたマルチポイント（ＣｏＭＰ）動作を支援し得る。
【００４６】
[0063]ＤＭ−ＲＳ送信３３０および３４０の組内のＤＭ−ＲＳ３２５送信のような、（グループ基準信号（ＧＲＳ）と呼ばれ得る）結合可能な基準信号の構造が、ＤＭ−ＲＳ送信の適切な分離を提供するために幾つかの例により確立され得、および、結合可能として示されるＤＭ−ＲＳ基準信号を含み得る。幾つかの場合、ＵＥ固有の基準信号は、結合可能であり、および結合可能として示され得る。幾つかの場合、以下においてさらに説明されるように、ＧＲＳがグループＩＤに関連される。すなわち、ＧＲＳは、グループＩＤに関連するリソース上でまたはリソースを使用して送信され得る。図４は、ワイヤレス通信システムにおける基準信号送信のためのパイロット構造４００の例を示す。この例において、パイロット構造４００は、４つのアンテナポートに関するコード−領域分離を可能にするために符号分割多重（ＣＤＭ）を使用し、および、直交カバーコード（ＯＣＣ）を使用する。各基準信号に関するリソース要素割り振りは、ＴＴＩに関する複数のポート（例えば、４つのポート）の各々に関して同じであり、直交性は、ＴＴＩ４０５、４１０、４１５、および４２０中に送信された基準信号上にマッピングされたシーケンスにＯＣＣを適用することによって達成され得る。幾つかの例により、アンテナポートに関して規定されたＯＣＣマッピングに関するレガシープロトコルにより４桁のＯＣＣ（例えば、＋１、＋１、＋１、＋１）が決定され得る。
【００４７】
[0064]ＯＣＣを用いたＣＤＭを使用して、ＴＴＩ４０５乃至４２０の個々の観測は、すべての基準信号アンテナポートに関するチャネル推定値を提供することができる。さらに、幾つかの例において、現在の基準シンボルまでの任意の連続する４つの観測（例えば、ＴＴＩ４０５乃至４２０に関する観測）は、異なるポートからの信号の分離を提供することができる。さらに、幾つかの例により、任意の連続する２つの観測は、時間領域ＯＣＣを有する他からの２つのポートの分離を可能にし得る。幾つかの例において、チャネル分離は、干渉キャンセレーション（ＩＣ）技法を通じて達成され得る。図４ではＣＭＤはアンテナを多重化することに関して示される一方で、様々な他の例は、時間領域多重化（ＴＤＭ）、周波数分割多重化（ＦＤＭ）、またはＴＤＭ／ＦＤＭ／ＣＤＭの混成のような、アンテナを多重化するための異なる選択肢を使用し得る。送信された基準信号は、幾つかの例では、全システム帯域幅またはシステム帯域幅の一部を占め得る。さらに、上において簡単に説明されるように、幾つかの例において、別個のＤＭ−ＲＳを使用するレガシーＰＤＣＣＨおよびＰＤＳＣＨと異なり、制御チャネル（例えば、ＰＤＣＣＨ送信）およびデータチャネル（例えば、ＰＤＳＣＨ送信）の間で同じ基準信号が共有され得る。
【００４８】
[0065]幾つかの例において、結合可能な基準信号の構造は、確立された共通のポートにおいて送信され得、または、動的にスケジューリングされるポートにおいて送信され得る。例えば、幾つかのＧＲＳポート（例えば、ポート０および１）は、関連するトラフィックがない状態でも存在し得、従って、他のＧＲＳ送信と結合され得る共通のＧＲＳポートであり得る。そのような信号は、様々な例により、トラフィックのタイプ、チャネル状態、等に基づいて、半静的にオンおよびオフにされ得る。幾つかの例において、共通のＧＲＳポートにおける基準信号送信はプリコーディングされない。共通のＧＲＳポートに加えて、幾つかのＧＲＳポートは、動的にスケジューリングされ、関連するデータトラフィックとともに存在し得る。そのような動的ポートを使用して送信された基準信号は、プリコーディングされ得、および、例えば、図３、図５、および図６に関連して本明細書において説明されるような決定に基づいて結合され得る。幾つかの例において、ＵＥへの最初の送信のために制御チャネル送信物（例えば、ＰＤＣＣＨ送信物）を送信するときには、ＰＤＣＣＨ基準信号は、ＣＲＳまたはＧＲＳ上で送信され得る。引き続き、そのような例において、ＵＥは、ＰＤＣＣＨに関する動的ＧＲＳポートインデックス（または複数のインデックス）を使用してより高い層のシグナリングを通じて構成され得、その後に、ＰＤＣＣＨは、ＣＲＳまたは共通のＧＲＳポートを介してまたは構成された動的ＧＲＳポートを介してＵＥに送信され得る。様々な例により、共有チャネル送信物（例えば、ＰＤＳＣＨ送信物）を送信するときに、ＰＤＣＣＨグラントは、ポートインデックスとランクとを含み得、送信基準信号は、ＣＲＳまたは共通のＧＲＳまたは動的ＧＲＳを介して送信され得る。
【００４９】
[0066]低レイテンシータイプ通信に関して、図５は、本開示の態様による、ワイヤレス通信システムの異なるリソースを使用した低レイテンシー通信の例を概念的に示した概略図５００である。図５の通信は、例えば、１つまたは複数の基地局１０５（例えば、ｅＮＢ）と１つまたは複数のＵＥ１１５との間で図１に関連して説明されたワイヤレス通信システム１００の一部分を使用して送信され得る。図５の例において、システム帯域幅５０５内の無線リソースは、レガシー制御領域５１０と、低レイテンシー領域５１５と、を含み得る。そのような構成は、ＦＤＭ通信またはＴＤＭ通信のいずれかとともに使用され得る。レガシー制御領域５１０は、幾つかの例においては、様々なレガシー制御情報とシグナリング情報とを含み得る、各サブフレームの第１の１つまたは複数のシンボルを含み得る。幾つかの例において、レガシー制御領域はまた、図２に関して上述されるように、幾つかのサブフレームの中央の６つのリソースブロックとＣＲＳリソース要素とを含み得る。
【００５０】
[0067]低レイテンシー領域５１５内で、図３に関して上述されるのと同様に、レガシーシンボルのＴＴＩと比較して短縮されたＴＴＩを有する幾つかのシンボル５２０が送信され得る。シンボル５２０のうちの１つまたは複数内で、基地局は、ＤＭ−ＲＳ５２５を送信し得る。上記されるように、幾つかの例において、ＤＭ−ＲＳ５２５のような基準信号は、複数のＴＴＩのシンボル５３０において送信され得、ＤＭ−ＲＳ５２５は、ＵＥ  ＩＤに関連するリソースを使用して送信され得る。さらに、そのようなＤＭ−ＲＳは、ＰＤＳＣＨ送信中に送信され得、および、プリコーディングが送信に適用され得る。異なる送信が異なるプリコーディングを有する場合は、異なるＴＴＩ中に送信された基準信号は、信頼できる情報を得るために結合され得ない。幾つかの例により、幾つかのＤＭ−ＲＳ５２５送信が結合され得るという指示を含む基準信号（ＲＳ）制御シグナリング５４０がＵＥに送信され得る。そのような制御シグナリング５４０は、一組のＤＭ−ＲＳ５３０送信が結合され得ること、および／または別の組のＤＭ−ＲＳ送信５３５が結合され得ることを示し得る。
【００５１】
[0068]幾つかの例により、基地局は、１つまたは複数のＵＥが低レイテンシー通信のために構成され得ると決定し得、および、ＵＥが複数のＴＴＩからの基準信号を結合し得るようにするために複数のＴＴＩにわたって同じプリコーディングを維持し得る。幾つかの例において、ＲＳ制御シグナリング５４０は、ＵＥが以前のＴＴＩまたは以前のグラントからの基準信号を結合し得るかどうかに関する情報を含むＰＤＣＣＨを介して送信するスケジューリンググラント内に含められ得る。幾つかの例において、グラントは、幾つかの基準信号が結合され得ることを示す基準信号ＴＴＩバンドリング情報を搬送するための１つまたは複数のビットを明示で含み得る。幾つかの例において、バンドリング情報は、複数のＴＴＩにネスティングされ得る。幾つかの例において、ＲＳ制御シグナリング５４０は、制御情報を搬送するための１つまたは複数のビットを含むのではなく、ＵＥは制御チャネル送信のために使用されるＰＤＣＣＨフォーマットに基づいて基準信号を結合し得るとシグナリングし得る。幾つかの例において、異なるＴＴＩにおいて送信された２つ以上の基準信号が結合され得ると決定ために異なるＰＤＣＣＨフォーマットがマッピングおよび使用され得る。さらなる例において、ＲＳ制御シグナリングは、ＴＴＩにおいてＰＤＳＣＨに関するスケジューリンググラント内に含められた特定の送信方式に基づいて提供され得る。そのような特定の送信方式は、異なるＴＴＩにおいて送信された２つ以上の基準信号が結合され得ると決定するためにマッピングされ得る。そのような送信方式は、例えば、幾つかの例を挙げると、空間周波数ブロックコーディング（ＳＦＢＣ）と、オープンループ空間多重化と、クローズドループ空間多重化と、を含み得る。ＵＥがスケジューリンググラントを復号するときに、グラントが許容する場合は、ＵＥ（ＵＥが以前のＴＴＩにおいてウェイクアップしていた場合）は、幾つかの例により、ＰＤＳＣＨ復号のための向上されたチャネル推定のために以前の基準信号を利用し得る。幾つかの例において、一旦ＵＥがスケジューリンググラントを復号し、グラントが許容する場合は、ＵＥは、ＰＤＳＣＨ復号のための向上されたチャネル推定のために以前のグラント内の基準信号を利用し得る。幾つかのさらなる例において、ＵＥは、基準信号が明示のシグナリングとともに結合され得るという暗黙の決定のハイブリッド方式を使用し得る。例えば、ＰＤＣＣＨ送信に関して、ＵＥは、基準信号が結合され得ると決定するために暗黙のシグナリングを使用し得、ＰＤＳＣＨ送信に関しては、ＵＥは、図５に関して説明されるような明示のシグナリングを使用し得る。同様に、複数のＴＴＩにわたって基準信号が結合され得るということを決定するために、幾つかの空間方式に関しては暗黙のシグナリングが使用され得、他の空間方式に関しては明示のシグナリングが使用され得る。
【００５２】
[0069]図３に関して論じられるのと同様に、そのようなＤＭ−ＲＳ送信５２５の結合を通じて、システムは、レガシーＤＭ−ＲＳ送信の利益を維持し得、および、より正確なチャネルノイズ推定を決定し得る。さらに、そのような結合することは、オンデマンドパイロットオーバーヘッドおよび低減された制御オーバーヘッド（すなわち、ＰＭＩシグナリングなし）を可能にし得る。そのような結合することはまた、拡張されたＭＩＭＯ動作および／または拡張された調整されたマルチポイント（ＣｏＭＰ）動作を支援し得る。
【００５３】
[0070]図６は、本開示の態様による、ワイヤレス通信システムの異なるリソースを使用した低レイテンシー通信の例を概念的に示した概略図６００である。図６の通信は、例えば、１つまたは複数の基地局１０５（例えば、ｅＮＢ）と１つまたは複数のＵＥ１１５との間で図１に関連して説明されたワイヤレス通信システム１００の一部分を使用して送信され得る。図６の例において、システム帯域幅６０５内の無線リソースは、レガシー制御領域６１０と、低レイテンシー領域６１５と、を含み得る。そのような構成は、ＦＤＭ通信またはＴＤＭ通信のいずれかとともに使用され得る。レガシー制御領域６１０は、幾つかの例においては、様々なレガシー制御情報とシグナリング情報とを含み得る各サブフレームの第１の１つまたは複数のシンボルを含み得る。幾つかの例では、レガシー制御領域はまた、図２に関して上述されるように、幾つかのフレームの中央の６つのリソースブロックとＣＲＳリソース要素とを含み得る。
【００５４】
[0071]低レイテンシー領域６１５内で、レガシーシンボルのＴＴＩと比較して短縮されたＴＴＩを有する幾つかのシンボル６２０が送信され得る。すなわち、シンボル６２０は、レガシーＴＴＩよりも短い継続時間のＴＴＩであり得る。幾つかの場合、シンボル６２０は、ＬＴＥシンボル期間、ＬＴＥスロット期間、２つのＬＴＥシンボル期間、等に等しい継続時間、および、ＬＴＥサブフレームの継続時間よりも小さい継続時間、を有する低レイテンシーＴＴＩである。シンボル６２０のうちの１つまたは複数内で、基地局は、ＤＭ−ＲＳ６２５を送信し得る。上記のように、幾つかの例において、ＤＭ−ＲＳ６２５のような基準信号は、複数のＴＴＩのシンボル６２０において送信され得る。さらに、そのようなＤＭ−ＲＳは、ＰＤＳＣＨ送信中に送信され得、および、プリコーディングが送信に適用され得る。異なる送信が異なるプリコーディングを有する場合は、異なるＴＴＩ中に送信された基準信号は、信頼できる情報を得るために結合され得ない。
【００５５】
[0072]幾つかの例により、基地局は、１つまたは複数のＵＥが低レイテンシー通信のために構成され得ると決定し得、ＵＥのグループを識別し得、および、関連するＵＥが複数のＴＴＩからの基準信号を結合し得るようにするためにＵＥのグループ内の複数のＴＴＩにわたって同じプリコーディングを維持し得る。図６において示されるような幾つかの例において、第１のＵＥは、例えばグループＩＤ  Ａのような関連するグループ識別（ＩＤ）を決定し、および、幾つかのＤＭ−ＲＳ６２５はグループＩＤ  Ａに関連すると決定し得る。ＵＥは、そのような決定を行った後に、ＵＥと同じグループＩＤに対応する基準信号６３０、６３５の異なる組からの複数の基準信号（例えば、ＤＭ−ＲＳ６２５）を結合し得る。基準信号６４０の第２の組は、この例では、同様の方法で結合され得るグループＩＤ  ＢのＤＭ−ＲＳ６４５を含み得る。従って、ＧＲＳ（例えば、グループＩＤ  ＡまたはグループＩＤ  Ｂに関連する結合可能な基準信号）は、ＵＥの指定されたグループがＧＲＳを受信および結合し得るようにするためにグループＩＤまたはＵＥ  ＩＤに関連するリソース上で送信され得る。
【００５６】
[0073]幾つかの例において、ＵＥは、特定のグループＩＤがＵＥと同じグループに対応する場合にそのグループＩＤの基準信号が結合され得ると決定し得る。幾つかの例において、ＵＥは、グループＩＤを用いて予め構成され得る。他の例において、ＵＥには、例えば、レガシーキャリア上のより高い層のシグナリングまたはユニキャストデータに基づいてグループＩＤが提供され得る。幾つかの基地局またはｅＮＢは、ＵＥ  ＰＭＩフィードバックに基づいてＵＥのグループを動的に管理し得る。幾つかの例において、各グループＩＤは、ＤＲ−ＲＳスクランブリングシーケンスに関連され得、同じスクランブリングシーケンスを有するＵＥは、同じグループに割り当てられる。ＵＥは、幾つかの例においては、エネルギー検出に基づいて各々の動的なグループ基準信号ポートに関する送信の存在／不在を検出し得、および、ＵＥは、基地局からグループ内のいずれかのＵＥへの基準信号を結合し得る。
【００５７】
[0074]そのようなＤＭ−ＲＳ６２５および６４５送信を結合することを通じて、システムは、より正確なチャネルノイズ推定（部分的ローディングなし）も決定する一方で、レガシーＤＭ−ＲＳ送信の利益を維持し得る。さらに、そのような結合することは、オンデマンドパイロットオーバーヘッドおよび低減された制御オーバーヘッド（すなわち、ＰＭＩシグナリングなし）を可能にし得る。そのような結合することはまた、拡張されたＭＩＭＯ動作および／または拡張された調整されたマルチポイント（ＣｏＭＰ）動作を提供し得る。
【００５８】
[0075]図７は、本開示の様々な態様による、ワイヤレス通信における使用のためのデバイス７０５のブロック図７００を示す。デバイス７０５は、例えば図１に関連して説明されるＵＥ１１５の１つまたは複数の態様の一例であり得る。デバイス７０５は、受信機モジュール７１０、ワイヤレス通信管理モジュール７１５、および／または送信機モジュール７２０を含み得る。デバイス７０５はまた、プロセッサ（示されていない）であり得またはプロセッサ（示されていない）を含み得る。これらのモジュールの各々は、互いと通信状態にあり得る。
【００５９】
[0076]デバイス７０５において描かれるモジュールは、個々にまたは全体として、ハードウェア内の適用可能な機能のうちの一部または全部を実行するように好適化された１つまたは複数の特定用途向け集積回路（ＡＳＩＣ）を使用して実装され得る。さらに加えてまたは代替として、機能は、１つまたは複数の集積回路上において、１つまたは複数の他の処理ユニット（またはコア）によって実行され得る。他の例において、他のタイプの集積回路が使用され得（例えば、構造化／プラットフォームＡＳＩＣ、フィールドプログラマブルゲートアレイ（ＦＰＧＡ）、および他のセミカスタムＩＣ）、それらは、当業界において知られるいずれかの方法でプログラミングされ得る。各モジュールの機能はまた、全体または一部分が、１つまたは複数の汎用または特定用途向けプロセッサによって実行されるようにフォーマット化された、メモリ内において具現化された命令とともに実装され得る。
【００６０】
[0077]受信機モジュール７１０は、様々な情報チャネル（例えば、制御チャネル、データチャネル、等）に関連しおよび１つまたは複数の異なる通信タイプ（例えば、レガシーＬＴＥ通信、低レイテンシー通信、等）による、パケット、ユーザデータ、および／または制御情報のような情報を受信し得る。受信機モジュール７１０は、例えば、複数の基準信号がチャネル推定のために結合され得ることを示すシグナリングを受信するように構成され得る。情報は、関連する基準信号を結合し得るワイヤレス通信管理モジュール７１５に、およびデバイス７０５の他のコンポーネントに、渡され得る。
【００６１】
[0078]ワイヤレス通信管理モジュール７１５は、結合されるべき基準信号を特定すること、基準信号を結合すること、および結合された基準信号に基づいてチャネル推定を実行することに関連する様々な機能を実行するように構成され得、それらは、図２乃至図６に関連して上述される機能の例であり得る。
【００６２】
[0079]送信機モジュール７２０は、デバイス７０５の他のコンポーネントから受信された１つまたは複数の信号を送信し得る。送信機モジュール７２０は、割り振られたリソースを使用しておよびワイヤレス通信管理モジュール７１５によって特定されるサービスのタイプにより無線送信物を送信し得る。幾つかの例において、送信機モジュール７２０は、トランシーバモジュール（示されていない）において受信機モジュール７１０と共配置され得る。
【００６３】
[0080]図８は、様々な例による、ワイヤレス通信における使用のためのデバイス７０５−ａのブロック図８００を示す。デバイス７０５−ａは、図１に関連して説明されるＵＥ１１５の１つまたは複数の態様の例であり得る。それはまた、図７に関連して説明されるデバイス７０５の例であり得る。デバイス７０５−ａは、受信機モジュール７１０−ａ、ワイヤレス通信管理モジュール７１５−ａ、および／または送信機モジュール７２０−ａを含み得、それらは、デバイス７０５の対応するモジュールの例であり得る。デバイス７０５−ａはまた、プロセッサ（示されていない）を含み得る。これらのモジュールの各々は、互いと通信状態にあり得る。ワイヤレス通信管理モジュール７１５−ａは、基準信号決定モジュール８０５と、基準信号結合モジュール８１０と、任意選択のグループＩＤ決定モジュール８１５と、を含み得る。受信機モジュール７１０−ａおよび送信機モジュール７２０−ａは、それぞれ、図７の受信機モジュール７１０および送信機モジュール７２０の機能を実行し得る。
【００６４】
[0081]ワイヤレス通信管理モジュール７１５−ａ内で、基準信号決定モジュール８０５は、１つまたは複数のＴＴＩからの１つまたは複数の基準信号の存在、および、そのような基準信号がエンハンスされたチャネル推定を提供するために結合され得るかどうか、を決定し得る。例えば、基準信号決定モジュール８０５は、図２乃至図６に関連して上述されるのと同様の方法で、低レイテンシー通信のために使用される複数のＴＴＩからの基準信号を、幾つかの基準信号が結合され得ることを示す明示のシグナリングとともに受信し得る。さらに、幾つかの例において、基準信号決定モジュール８０５は、図２乃至図６に関して上述されるのと同様の方法で、異なるＴＴＩからの幾つかの基準信号が結合される得ることを示し得る暗黙の指示を決定し得る。さらなる例において、基準信号決定モジュール８０５は、図２乃至図６に関して上述されるのと同様の方法で、同じグループＩＤを有するＵＥに関する基準信号が結合され得るという指示をグループＩＤ決定モジュール８１５から受信し得る。基準信号結合モジュール８１０は、幾つかの例においては、図２乃至図６に関して上述されるのと同様の方法で、識別された基準信号を結合し、エンハンスされたチャネル推定のために使用され得る平均化された（または別の方法で結合された）基準信号を提供し得る。
【００６５】
[0082]図９は、様々な例による、ワイヤレス通信における使用のためのシステム９００を示す。システム９００は、図１のＵＥ１１５の例であり得るＵＥ１１５−ａを含み得る。ＵＥ１１５−ａはまた、図７および／または図８のデバイス７０５の１つまたは複数の態様の例であり得る。
【００６６】
[0083]ＵＥ１１５−ａは、通信を送信するためのコンポーネントと通信を受信するためのコンポーネントとを含む双方向の音声およびデータ通信のためのコンポーネントを含み得る。ＵＥ１１５−ａは、アンテナ９４０と、トランシーバモジュール９３５と、プロセッサモジュール９０５と、（ソフトウェア（ＳＷ）９２０を含む）メモリ９１５と、を含み得、それらは、各々、（例えば、１つまたは複数のバス９４５を介して）直接的にまたは間接的に互いと通信し得る。トランシーバモジュール９３５は、上述されるように、１つまたは複数のネットワークと、アンテナ９４０および／または１つまたは複数の有線または無線のリンクを介して、双方向で通信するように構成され得る。例えば、トランシーバモジュール９３５は、図１乃至図６に関連して説明されるように、基地局１０５と双方向で通信するように構成され得る。トランシーバモジュール９３５は、送信のためにパケットを変調しおよびアンテナ９４０に変調されたパケットを提供するように、および、アンテナ９４０から受信されたパケットを復調するように構成されるモデムを含み得る。トランシーバモジュール９３５は、複数のコンポーネントキャリアを介して１つまたは複数の基地局１０５と同時に通信することが可能であり得る。
【００６７】
[0084]ＵＥ１１５−ａは、図７および図８のデバイス７０５のワイヤレス通信管理モジュール７１５に関して上述される機能を実行し得る、ワイヤレス通信管理モジュール７１５−ｂを含み得る。ＵＥ１１５−ａはまた、図２乃至図６に関して上述されるように、低レイテンシー通信および関連する基準信号に関連する動作を処理し得る基準信号管理モジュール９２５を含み得る。
【００６８】
[0085]メモリ９１５は、ランダムアクセスメモリ（ＲＡＭ）と、読み取り専用メモリ（ＲＯＭ）と、を含み得る。メモリ９１５は、実行されると、本明細書において説明される様々な機能（例えば、基準信号を結合することに関連する決定、基準信号を結合すること、等）を実行することをプロセッサモジュール９０５に行わせるように構成される命令を含むコンピュータによって読み取り可能な、コンピュータによって実行可能なソフトウェア／ファームウェアコード９２０を格納し得る。代替として、コンピュータによって読み取り可能な、コンピュータによって実行可能なソフトウェア／ファームウェアコード９２０は、プロセッサモジュール９０５によって直接実行可能であり得ず、（例えばコンパイルおよび実行されたときに）本明細書において説明される機能を実行することをコンピュータに行わせるように構成され得る。プロセッサモジュール９０５は、インテリジェントなハードウェアデバイス、例えば、中央処理装置（ＣＰＵ）、マイクロコントローラ、特定用途向け集積回路（ＡＳＩＣ）、等、を含み得る。
【００６９】
[0086]図１０は、本開示の様々な態様による、ワイヤレス通信における使用のための装置１００５のブロック図１０００を示す。幾つかの例において、装置１００５は、図１に関連して説明される基地局１０５のうちの１つまたは複数の態様の例であり得る。幾つかの例において、装置１００５は、ＬＴＥ／ＬＴＥ−Ａ  ｅＮＢおよび／またはＬＴＥ／ＬＴＥ−Ａ基地局の一部であり得るまたはそれらを含み得る。装置１００５はまた、プロセッサであり得る。装置１００５は、受信機モジュール１０１０、ワイヤレス通信管理モジュール１０１５、および／または送信機モジュール１０２０を含み得る。これらのモジュールの各々は、互いと通信状態にあり得る。
【００７０】
[0087]装置１００５のコンポーネントは、個々にまたは全体として、ハードウェア内の適用可能な機能のうちの一部または全部を実行するように好適化された１つまたは複数のＡＳＩＣを使用して実装され得る。代替として、機能は、１つまたは複数の集積回路上において、１つまたは複数の他の処理ユニット（またはコア）によって実行され得る。他の例において、他のタイプの集積回路が使用され得（例えば、構造化／プラットフォームＡＳＩＣ、フィールドプログラマブルゲートアレイ（ＦＰＧＡ）、および他のセミカスタムＩＣ）、それらは、当業界において知られるいずれかの方法でプログラミングされ得る。各コンポーネントの機能はまた、全体または一部分が、１つまたは複数の汎用または特定用途向けプロセッサによって実行されるようにフォーマット化された、メモリ内において具現化された命令とともに実装され得る。
【００７１】
[0088]幾つかの例において、受信機モジュール１０１０は、例えば、異なる通信タイプにより通信を受信するために動作可能な無線周波数（ＲＦ）受信機のような、少なくとも１つのＲＦ受信機を含み得る。受信機モジュール１０１０は、図１に関連して説明されるワイヤレス通信システム１００の１つまたは複数の通信リンクのような、ワイヤレス通信システムの１つまたは複数の通信リンクを通じて様々なタイプのデータおよび／または制御信号（すなわち、送信物）を送信するために使用され得る。
【００７２】
[0089]幾つかの例において、送信機モジュール１０２０は、例えば、異なる通信タイプにより通信を送信するために動作可能な少なくとも１つのＲＦ送信機のような少なくとも１つＲＦ送信機を含み得る。送信機モジュール１０２０は、図１に関連して説明されるワイヤレス通信システム１００の１つまたは複数の通信リンクのような無線通信システムの１つまたは複数の通信リンクを通じて様々なタイプのデータおよび／または制御信号（すなわち、送信物）を送信するために使用され得る。幾つかの例において、ワイヤレス通信管理モジュール１０１５は、幾つかの通信（例えば、低レイテンシー通信）が可能でありおよびＤＭ−ＲＳのような基準信号を結合し得るＵＥを特定すること、基準信号が結合され得るとシグナリングすること、および／または、ＵＥのグループのいずれかのＵＥに関する基準信号を結合し得るＵＥのグループに２つ以上のＵＥをまとめることに関連する様々な機能を実行し得、それは、図２乃至図６に関連して上述される機能の例であり得る。
【００７３】
[0090]図１１は、本開示の様々な態様による、ワイヤレス通信における使用のための装置１００５−ａのブロック図１１００を示す。幾つかの例において、装置１００５−ａは、図１に関連して説明される基地局１０５のうちの１つまたは複数の態様の例、および／または、図１０に関連して説明される装置１００５の態様の例であり得る。幾つかの例において、装置１００５−ａは、ＬＴＥ／ＬＴＥ−Ａ  ｅＮＢおよび／またはＬＴＥ／ＬＴＥ−Ａ基地局の一部であり得るまたはそれらを含み得る。装置１００５−ａはまた、プロセッサであり得る。装置１００５−ａは、受信機モジュール１０１０−ａ、ワイヤレス通信管理モジュール１０１５−ａ、および／または送信機モジュール１０２０−ａを含み得る。これらのモジュールの各々は、互いと通信状態にあり得る。
【００７４】
[0091]装置１００５−ａのコンポーネントは、個々にまたは全体として、ハードウェア内の適用可能な機能のうちの一部または全部を実行するように好適化された１つまたは複数のＡＳＩＣを使用して実装され得る。代替として、機能は、１つまたは複数の集積回路上において、１つまたは複数の他の処理ユニット（またはコア）によって実行され得る。他の例において、他のタイプの集積回路が使用され得（例えば、構造化／プラットフォームＡＳＩＣ、ＦＰＧＡ、および他のセミカスタムＩＣ）、それらは、当業界において知られるいずれかの方法でプログラミングされ得る。各コンポーネントの機能はまた、全体または一部分が、１つまたは複数の汎用または特定用途向けプロセッサによって実行されるようにフォーマット化された、メモリ内において具現化された命令とともに実装され得る。
【００７５】
[0092]幾つかの例において、受信機モジュール１０１０−ａは、図１０に関連して説明される受信機モジュール１０１０の１つまたは複数の態様の例であり得る。幾つかの例において、受信機モジュール１０１０−ａは、異なる通信タイプにより通信を受信するために動作可能な少なくとも１つ無線周波数（ＲＦ）受信機のような、少なくとも１つＲＦ受信機を含み得る。受信機モジュール１０１０−ａは、図１に関連して説明されるワイヤレス通信システム１００の１つまたは複数の通信リンクのようなワイヤレス通信システムの１つまたは複数の通信リンクを通じて様々なタイプのデータおよび／または制御信号（すなわち、送信物）を送信するために使用され得る。
【００７６】
[0093]幾つかの例において、送信機モジュール１０２０−ａは、図１０に関連して説明される送信機モジュール１０２０の１つまたは複数の態様の例であり得る。幾つかの例において、送信機モジュール１０２０−ａは、異なる通信タイプにより通信を送信するために動作可能な少なくとも１つのＲＦ送信機のような少なくとも１つＲＦ送信機を含み得る。送信機モジュール１０２０−ａは、図１に関連して説明されるワイヤレス通信システム１００の１つまたは複数の通信リンクのようなワイヤレス通信システムの１つまたは複数の通信リンクを通じて様々なタイプのデータおよび／または制御信号（すなわち、送信物）を送信するために使用され得る。
【００７７】
[0094]ワイヤレス通信管理モジュール１０１５−ａ内で、基準信号送信モジュール１１０５は、例えば、１つまたは複数のＵＥによるチャネル推定の際の使用のために基準信号を送信し得る。さらに、幾つかの例において、基準信号管理モジュール１１１０は、図２乃至図６に関して上述されるのと同様の方法で、複数の基準信号が結合され得ると決定し得、従って、そのような基準信号に適用されるのと同じプリコーディングを維持し得る。シグナリングモジュール１１１５は、幾つかの例においては、２つ以上のＴＴＩからの基準信号が結合され得ることを示すシグナリングを提供し得る。
【００７８】
[0095]図１２は、本開示の様々な態様による、ワイヤレス通信における使用のための基地局１０５−ａ（例えば、ｅＮＢの一部または全体を形成する基地局）のブロック図１２００を示す。幾つかの例において、図１０および／または図１１に関連して説明されるように、基地局１０５−ａは、図１に関連して説明される基地局１０５のうちの１つまたは複数の態様、および／または、基地局として構成されたときの装置１００５のうちの１つまたは複数の態様の例であり得る。基地局１０５−ａは、図２乃至図１１に関連して説明される基地局および／または装置の特徴および機能のうちの少なくとも一部を実装するようにまたは容易にするように構成され得る。
【００７９】
[0096]基地局１０５−ａは、基地局プロセッサモジュール１２１０、基地局メモリモジュール１２２０、（基地局トランシーバモジュール１２５０によって表される）少なくとも１つ基地局トランシーバモジュール、（基地局アンテナ１２５５によって表される）少なくとも１本の基地局アンテナ、および／または基地局ワイヤレス通信管理モジュール１０１５−ｂを含み得る。基地局１０５−ａはまた、基地局通信モジュール１２３０および／またはネットワーク通信モジュール１２４０のうちの１つまたは複数を含み得る。これらのモジュールの各々は、１つまたは複数のバス１２３５を通じて、直接または間接的に、互いと通信状態にあり得る。
【００８０】
[0097]基地局メモリモジュール１２２０は、ランダムアクセスメモリ（ＲＡＭ）および／または読み取り専用メモリ（ＲＯＭ）を含み得る。基地局メモリモジュール１２２０は、実行されると、ワイヤレス通信に関連する本明細書において説明される様々な機能（例えば、基準信号送信および基準信号を結合することに関連するシグナリング、等）を実行することを基地局プロセッサモジュール１２１０に行わせるように構成される命令を含むコンピュータによって読み取り可能な、コンピュータによって実行可能なソフトウェア／ファームウェアコード１２２５を格納し得る。代替として、コンピュータによって読み取り可能な、コンピュータによって実行可能なソフトウェア／ファームウェアコード１２２５は、基地局プロセッサモジュール１２１０によって直接実行可能であり得ず、（例えば、コンパイルおよび実行されたときに）本明細書において説明される様々な機能を実行することを基地局１０５−ａに行わせるように構成され得る。
【００８１】
[0098]基地局プロセッサモジュール１２１０は、インテリジェントなハードウェアデバイス、例えば、中央処理装置（ＣＰＵ）、マイクロコントローラ、ＡＳＩＣ、等、を含み得る。基地局プロセッサモジュール１２１０は、基地局トランシーバモジュール１２５０、基地局通信モジュール１２３０、および／またはネットワーク通信モジュール１２４０を通じて受信された情報を処理し得る。基地局プロセッサモジュール１２１０はまた、アンテナ１２２５を通じての送信のためにトランシーバモジュール１２５０に、１つまたは複数の基地局１０５−ｂおよび１０５−ｃへの送信のために基地局通信モジュール１２３０に、および／または、図１に関連して説明されるコアネットワーク１３０の１つまたは複数の態様の例であり得るコアネットワーク１２４５への送信のためにネットワーク通信モジュール１２４０に送信されるべき情報を処理し得る。基地局プロセッサモジュール１２１０は、単独でまたは基地局ワイヤレス通信管理モジュール１０１５−ｂと連繋して、図２乃至図６に関して上述されるような基準信号送信およびシグナリングの様々な態様を処理し得る。
【００８２】
[0099]基地局トランシーバモジュール１２５０は、送信のためにパケットを変調しおよび基地局アンテナ１２５５に変調されたパケットを提供するように、および、基地局アンテナ１２５５から受信されたパケットを復調するように構成されるモデムを含み得る。基地局トランシーバモジュール１２５０は、幾つかの例においては、１つまたは複数の基地局送信機モジュールおよび１つまたは複数の別々の基地局受信機モジュールとして実装され得る。基地局トランシーバモジュール１２５０は、第１の無線周波数スペクトル帯域および／または第２の無線周波数スペクトル帯域での通信をサポートし得る。基地局トランシーバモジュール１２５０は、図１に関連して説明されるＵＥ１１５のうちの１つまたは複数のような１つまたは複数のＵＥまたは装置と、アンテナ１２５５を介して、双方向で通信するように構成され得る。基地局１０５−ａは、例えば、複数本の基地局アンテナ１２５５（例えば、アンテナアレイ）を含み得る。基地局１０５−ａは、ネットワーク通信モジュール１２４０を通じてコアネットワーク１２４５と通信し得る。基地局１０５−ａはまた、基地局通信モジュール１２３０を使用して、基地局１０５−ｂおよび１０５−ｃのような他の基地局と通信し得る。
【００８３】
[0100]基地局ワイヤレス通信管理モジュール１０１５−ｂは、基準信号の生成と送信、および、幾つかの基準信号が結合され得ることを示すシグナリングに関連する図２乃至図６に関連して説明される特徴および／または機能のうちの一部または全部を実行および／または制御するように構成され得る。基地局ワイヤレス通信管理モジュール１０１５−ｂは、基準信号の生成と送信、および、幾つかの基準信号が結合され得ることを示すシグナリングに関連する図２乃至図６または図１１に関連して説明される特徴および／または機能のうちの一部または全部を実行および／または制御し得る、基準信号送信モジュール１１０５−ａと基準信号管理モジュール１１１０−ａとを含み得る。基地局ワイヤレス通信管理モジュール１０１５−ｂ、またはモジュール１０１５−ｂの一部分、は、プロセッサを含み得、および／または基地局ワイヤレス通信管理モジュール１０１５−ｂの機能のうちの一部または全部が、基地局プロセッサモジュール１２１０によっておよび／または基地局プロセッサモジュール１２１０と連繋して実行され得る。幾つかの例において、基地局ワイヤレス通信管理モジュール１０１５−ｂは、図１０および／または図１１に関連して説明される基地局ワイヤレス通信管理モジュール１０１５および／または１０１５−ａの例であり得る。
【００８４】
[0101]図１３は、基地局１０５−ｄとＵＥ１１５−ｂとを含む多入力／多出力（ＭＩＭＯ）通信システム１３００のブロック図である。ＭＩＭＯ通信システム１３００は、図１において示されるワイヤレス通信システム１００の態様を示し得る。基地局１０５−ｄは、アンテナ１３３４−ａ乃至１３３４−ｘが装備され得、ＵＥ１１５−ｂは、アンテナ１３５２−ａ乃至１３５２−ｎが装備され得る。ＭＩＭＯ通信システム１３００で、基地局１０５−ｄは、同時に複数の通信リンクを通じてデータを送信することができる。各通信リンクは、「層」と呼ばれ得、通信リンクの「ランク」は、通信のために使用される層の数を示し得る。例えば、基地局１０５−ｄが２つの「層」を送信する２×２ＭＩＭＯ通信システムでは、基地局１０５−ｄとＵＥ１１５−ｂとの間の通信リンクのランクは２である。
【００８５】
[0102]基地局１０５−ｄにおいて、送信プロセッサ１３２０は、データソースからデータを受信し得る。送信プロセッサ１３２０は、データを処理し得る。送信プロセッサ１３２０はまた、制御シンボルおよび／または基準シンボルを生成し得る。送信（ＴＸ）ＭＩＭＯプロセッサ１３３０は、該当する場合は、データシンボル、制御シンボル、および／または基準シンボルに関して空間処理（例えば、プリコーディング）を実行し得、および、送信変調器／受信復調器１３３２−ａ乃至１３３２−ｘに出力シンボルストリームを提供し得る。各送信変調器／受信復調器１３３２は、出力サンプルストリームを得るために（例えば、ＯＦＤＭ、等に関して）各々の出力シンボルストリームを処理し得る。各送信変調器／受信復調器１３３２は、ＤＬ信号を得るために出力サンプルストリームをさらに処理（例えば、アナログに変換、増幅、フィルタリング、およびアップコンバート）し得る。一例において、送信変調器／受信復調器１３３２−ａ乃至１３３２−ｘからのＤＬ信号は、アンテナ１３３４−ａ乃至１３３４−ｘのうちの１本または複数本を介して送信され得る。送信変調器／受信復調器１３３２−ａ乃至１３３２−ｘは、図１３では結合されたボックスとして描かれているが、送信変調器は、受信復調器と（機能的にまたは物理的に）別々に配置されることができる。
[0103]ＵＥ１１５−ｂにおいて、アンテナ１３５２−ａ乃至１３５２−ｎは、基地局１０５−ｄからＤＬ信号を受信し得、および、送信変調器／受信復調器１３５４−ａ乃至１３５４−ｎにそれぞれ受信された信号を提供し得る。各送信変調器／受信復調器１３５４は、入力サンプルを得るために各々の受信された信号をコンディショニング（例えば、フィルタリング、増幅、ダウンコンバート、およびデジタル化）し得る。各送信変調器／受信復調器１３５４は、受信されたシンボルを得るために（例えば、ＯＦＤＭ、等に関して）入力サンプルをさらに処理し得る。ＭＩＭＯ検出器１３５６は、すべての送信変調器／受信復調器１３５４−ａ乃至１３５４−ｎから受信されたシンボルを得、該当する場合は受信されたシンボルに関してＭＩＭＯ検出を実行し、検出されたシンボルを提供し得る。受信プロセッサ１３５８は、検出されたシンボルを処理（例えば、復調、デインターリーブ、および復号）してデータ出力部にＵＥ１１５−ｂに関する復号されたデータを提供し、プロセッサ１３８０、またはメモリ１３８２に復号された制御情報を提供し得る。送信変調器／受信復調器１３５４−ａ乃至１３５４−ｎは、図１３では結合されたボックスとして描かれているが、送信変調器は、受信復調器と（機能的にまたは物理的に）別々に配置されることができる。さらに、一態様において、送信変調器／受信復調器１３５４−ａ乃至１３５４−ｎは、アンテナ１３５２−ａ乃至１３５２−ｎとともに、受信機モジュール７１０および送信機モジュール７２０に関する構造上のサポート例を描くために使用され得る。
【００８６】
[0104]プロセッサ１３８０は、幾つかの場合、ＵＥワイヤレス通信管理モジュール７１５−ｃのうちの１つまたは複数をインスタンス化（ｉｎｓｔａｎｔｉａｔｅ）するために格納された命令を実行し得る。ＵＥワイヤレス通信管理モジュール７１５−ｃは、図７、図８、および／または図９に関連して説明されるワイヤレス通信管理モジュール７１５の態様の例であり得る。
【００８７】
[0105]アップリンク（ＵＬ）上で、ＵＥ１１５−ｂにおいて、送信プロセッサ１３６４は、データソースからデータを受け取って処理し得る。送信プロセッサ１３６４はまた、基準信号に関する基準シンボルを生成し得る。送信プロセッサ１３６４からのシンボルは、該当する場合は送信ＭＩＭＯプロセッサ１３６６によってプリコーディングされ、（例えば、ＳＣ−ＦＤＭＡ、等に関して）復調器１３５４−ａ乃至１３５４−ｎによってさらに処理され、基地局１０５−ｄから受け取られた送信パラメータにより基地局１０５−ｄに送信され得る。基地局１０５−ｄにおいて、ＵＥ１１５−ｂからのＵＬ信号は、アンテナ１３３４によって受信され、送信変調器／受信復調器１３３２によって処理され、該当する場合はＭＩＭＯ検出器１３３６によって検出され、受信プロセッサ１３３８によってさらに処理され得る。受信プロセッサ１３３８は、データ出力部におよびプロセッサ１３４０および／またはメモリ１３４２に復号されたデータを提供し得る。プロセッサ１３４０は、幾つかの場合、基地局ワイヤレス通信管理モジュール１０１５−ｃのうちの１つまたは複数をインスタンス化するために格納された命令を実行し得る。基地局ワイヤレス通信管理モジュール１０１５−ｃは、図１０、図１１および／または図１２に関連して説明されるワイヤレス通信管理モジュール１０１５の態様の例であり得る。さらに、一態様において、送信変調器／受信復調器１３３２−ａ乃至１３３２−ｘは、アンテナ１３３４−ａ乃至１３３４−ｘとともに、受信機モジュール１０１０および送信機モジュール１０２０に関する構造上のサポート例を描くために使用され得る。
[0106]ＵＥ１１５−ｂのコンポーネントは、個々にまたは全体として、ハードウェア内の適用可能な機能のうちの一部または全部を実行するように好適化された１つまたは複数のＡＳＩＣとともに実装され得る。注記されるモジュールの各々は、ＭＩＭＯ通信システム１３００の動作に関連する１つまたは複数の機能を実行するための手段であり得る。同様に、基地局１０５−ｄのコンポーネントは、個々にまたは全体として、ハードウェア内の適用可能な機能のうちの一部または全部を実行するように好適化された１つまたは複数のＡＳＩＣとともに実装され得る。注記されるコンポーネントの各々は、ＭＩＭＯ通信システム１３００の動作に関連する１つまたは複数の機能を実行するための手段であり得る。
【００８８】
[0107]図１４は、本開示の様々な態様による、ワイヤレス通信のための方法１４００の例を示したフローチャートである。明確化のため、方法１４００は、以下では、図１、図９および／または図１３に関連して説明される、ＵＥ１１５のうちの１つまたは複数の態様、および／または、図７および／または図８に関連して説明されるデバイスのうちの１つまたは複数の態様に関連して説明される。幾つかの例において、ＵＥは、以下において説明される機能を実行するためにＵＥの機能上の要素を制御するためのコードの１つまたは複数の組を実行し得る。さらに加えてまたは代替として、ＵＥは、専用ハードウェアを使用して以下において説明される機能のうちの１つまたは複数を実行し得る。方法１４００は、チャネル推定のために基準信号を結合することに基づいて基地局との通信のためのランクを増やすための例を提供し得る。
【００８９】
[0108]ブロック１４０５において、方法１４００は、第１のＴＴＩに関しては、共通基準信号とともに送信されたＰＤＳＣＨ送信物を受信することを含み得る。上述されるように、共通基準信号は、無線フレーム内の確定されたリソースを使用して送信され得、幾つかの例においては、プリコーディングがそれに適用されずに送信され得る。ブロック１４０５の動作は、例えば、図７、図８、図９、および／または図１３の受信機モジュール７１０および／またはワイヤレス通信管理モジュール７１５および／または関連する受信機／アンテナによって実行され得る。
【００９０】
[0109]ブロック１４１０において、方法１４００は、第２のＴＴＩに関しては、ＰＤＳＣＨ送信物を受信することと、第１および第２のＴＴＩにわたる動的ＲＳ観測結果を結合することと、を含み得る。ＰＤＳＣＨは、幾つかの例においては、２つの動的ＲＳポートを通じてランク２で送信され得る。ブロック１４１０の動作は、例えば、図７、図８、図９、および／または図１３の受信機モジュール７１０および／またはワイヤレス通信管理モジュール７１５および／または関連する受信機／アンテナによって実行され得る。
【００９１】
[0110]第３のＴＴＩ中に、ブロック１４１５において示されるように、ＵＥは、ＰＤＳＣＨ送信物を受信し、第１乃至第３のＴＴＩにわたる動的ＲＳ観測結果を結合し得る。ＰＤＳＣＨは、幾つかの例においては、２つの動的ＲＳポートを通じてランク２で送信され得る。ブロック１４１０の動作は、例えば、図７、図８、図９、および／または図１３の受信機モジュール７１０および／またはワイヤレス通信管理モジュール７１５および／または関連する受信機／アンテナによって実行され得る。
【００９２】
[0111]第４のＴＴＩ中に、ブロック１４２０において示されるように、ＵＥは、ＰＤＳＣＨ送信物を受信し、第１乃至第４のＴＴＩにわたる動的ＲＳ観測結果を結合し得る。ＰＤＳＣＨは、幾つかの例においては、４つの動的ＲＳポートを通じてランク４で送信され得る。ブロック１４１０の動作は、例えば、図７、図８、図９、および／または図１３の受信機モジュール７１０および／またはワイヤレス通信管理モジュール７１５によって実行され得る。そのような例での基地局は、ＵＥに関する動的ＲＳポートに関するプリコーディングが対応するＴＴＩにわたって不変であるようにし得る。
【００９３】
[01112]従って、方法１４００は、ワイヤレス通信を提供し得る。方法１４００は単なる１つの実装であるにすぎないことおよび方法１４００の動作は他の実装が可能であるようにするために再アレンジされるかまたはその他の方法で変更され得ることが注記されるべきである。さらに、上記のように、受信機モジュール７１０の構造上の実装例は、図１３のアンテナ１３５２−ａ乃至１３５２−ｎを伴う送信変調器／受信復調器１３５４−ａ乃至１３５４−ｎであり得る。方法１４００の通信物は、例えば、１つまたは複数の基地局１０５（例えば、ｅＮＢ）と１つまたは複数のＵＥ１１５との間で図１に関連して説明されるワイヤレス通信システム１００の一部分を使用して送信され得る。さらに加えて、システム帯域幅内の無線リソースは、図３、図５、および図６に関連して説明されるようなレガシー制御領域と低レイテンシー領域とを含み得る。そのような構成は、ＦＤＭ通信またはＴＤＭ通信のいずれかとともに使用され得る。レガシー制御領域は、幾つかの例においては、様々なレガシー制御情報とシグナリング情報とを含み得る、各サブフレームの第１の１つまたは複数のシンボルを含み得る。幾つかの例において、レガシー制御領域はまた、図２に関して論じられるような、幾つかのサブフレームの中央の６つのリソースブロックとＣＲＳリソース要素とを含み得る。上述されるように、幾つかの例において、ＤＭ−ＲＳのような基準信号は、複数のＴＴＩのシンボルで送信され得、ＤＭ−ＲＳは、ＵＥ  ＩＤまたはグループＩＤに関連するリソースを使用して送信され得る。
【００９４】
[0113]図１５は、本開示の様々な態様による、ワイヤレス通信のための方法１５００の例を示したフローチャートである。明確化のため、方法１５００は、以下では、図１、図９および／または図１３に関連して説明される、ＵＥ１１５のうちの１つまたは複数の態様、および／または、図７および／または図８に関連して説明されるデバイスのうちの１つまたは複数の態様に関連して説明される。幾つかの例において、ＵＥは、以下において説明される機能を実行するためにＵＥの機能上の要素を制御するためのコードの１つまたは複数の組を実行し得る。さらに加えてまたは代替として、ＵＥは、専用ハードウェアを使用して以下において説明される機能のうちの１つまたは複数を実行し得る。方法１５００は、チャネル推定のために基準信号を結合することに基づいて基地局との通信のためのランクを増やすための例を提供し得る。
【００９５】
[0114]ブロック１５０５において、方法１５００は、２つ以上の送信時間間隔において送信された基準信号が結合可能であるという指示を受信することを含み得る。幾つかの場合、指示は、明示のシグナリングを通じて受信される。幾つかの例において、指示は、１つまたは複数の制御信号で受信される。ブロック１５０５の動作は、例えば、図７、図８、図９、および／または図１３の受信機モジュール７１０および／またはワイヤレス通信管理モジュール７１５および／または関連する受信機／アンテナによって実行され得る。
【００９６】
[0115]ブロック１５１０において、方法１５００は、２つ以上の送信時間間隔中に送信物を受信することを含み得る。幾つかの場合、２つ以上の送信時間間隔は、各々、第２のタイプの送信時間間隔の継続時間よりも小さい継続時間を有する第１のタイプの送信時間間隔を備える。ブロック１５１０の動作は、例えば、図７、図８、図９、および／または図１３の受信機モジュール７１０および／またはワイヤレス通信管理モジュール７１５および／または関連する受信機／アンテナによって実行され得る。
【００９７】
[0116]ブロック１５１５において、方法１５００は、指示に少なくとも部分的に基づいて２つ以上の送信時間間隔中に送信物の中に含められた基準信号を結合することを含み得る。幾つかの場合、基準信号は、グループ識別またはＵＥ識別に関連するリソースを使用して送信される。幾つかの例において、基準信号の存在は、スクランブリングシーケンスにより決定され、ここで、グループ識別は、スクランブリングシーケンスと関連される。ブロック１５１５の動作は、図７、図８、図９、および／または図１３のワイヤレス通信管理モジュール７１５によって実行され得る。
【００９８】
[0117]従って、方法１５００は、ワイヤレス通信を提供し得る。方法１５００は単なる１つの実装であるにすぎないことおよび方法１５００の動作は他の実装が可能であるようにするために再アレンジされるかまたはその他の方法で変更され得ることが注記されるべきである。さらに、上記のように、受信機モジュール７１０の構造上の実装例は、図１３のアンテナ１３５２−ａ乃至１３５２−ｎを伴う送信変調器／受信復調器１３５４−ａ乃至１３５４−ｎであり得る。方法１５００の通信は、例えば、１つまたは複数の基地局１０５（例えば、ｅＮＢ）と１つまたは複数のＵＥ１１５との間で図１に関連して説明されるワイヤレス通信システム１００の一部分を使用して送信され得る。さらに加えて、システム帯域幅内の無線リソースは、図３、図５、および図６に関連して説明されるようなレガシー制御領域と低レイテンシー領域とを含み得る。そのような構成は、ＦＤＭ通信またはＴＤＭ通信のいずれかとともに使用され得る。レガシー制御領域は、幾つかの例においては、様々なレガシー制御情報とシグナリング情報とを含み得る、各サブフレームの第１の１つまたは複数のシンボルを含み得る。幾つかの例において、レガシー制御領域はまた、図２に関して論じられるような、幾つかのサブフレームの中央の６つのリソースブロックとＣＲＳリソース要素とを含み得る。上述されるように、ＤＭ−ＲＳのような基準信号は、複数のＴＴＩのシンボルで送信され得、ＤＭ−ＲＳは、ＵＥ  ＩＤまたはグループＩＤに関連するリソースを使用して送信され得る。
【００９９】
[0118]図１６は、本開示の様々な態様による、ワイヤレス通信のための方法１６００の例を示したフローチャートである。明確化のため、方法１６００は、以下では、図１、図９および／または図１３に関連して説明される、ＵＥ１１５のうちの１つまたは複数の態様、および／または、図７および／または図８に関連して説明されるデバイスのうちの１つまたは複数の態様に関連して説明される。幾つかの例において、ＵＥは、以下において説明される機能を実行するためにＵＥの機能上の要素を制御するためのコードの１つまたは複数の組を実行し得る。さらに加えてまたは代替として、ＵＥは、専用ハードウェアを使用して以下において説明される機能のうちの１つまたは複数を実行し得る。方法１６００は、チャネル推定のために基準信号を結合することに基づいて基地局との通信のためのランクを増やすための例を提供し得る。
【０１００】
[0119]ブロック１６０５において、方法１６００は、基準信号を結合することに関する情報を含むスケジューリンググラントを通じて指示を受信することを含み得る。幾つかの場合、指示は、スケジューリンググラントを送信するために使用される制御チャネルフォーマットを通じて受信される。幾つかの場合、基準信号の結合は、スケジューリンググラントおよび少なくとも１つ他の送信物は一組の連続する送信時間間隔内に送信されると決定することに少なくとも部分的に基づいて決定される。ブロック１６０５の動作は、例えば、図７、図８、図９、および／または図１３の受信機モジュール７１０および／またはワイヤレス通信管理モジュール７１５および／または関連する受信機／アンテナによって実行され得る。
【０１０１】
[0120]ブロック１６１０において、方法１６００は、２つ以上の送信時間間隔からの基準信号はグラントに少なくとも部分的に基づいて結合されることができると決定することを含み得る。幾つかの場合、２つ以上の送信時間間隔は、連続する送信時間間隔である。幾つかの例において、２つ以上の送信時間間隔は、非連続的な送信時間間隔の所定の数内にある。ブロック１６１０の動作は、例えば、図７、図８、図９、および／または図１３の受信機モジュール７１０および／またはワイヤレス通信管理モジュール７１５および／または関連する受信機／アンテナによって実行され得る。
【０１０２】
[0121]ブロック１６１５において、方法１６００は、２つ以上の送信時間間隔において送信された２つ以上の基準信号に含められた基準信号を結合することを含み得る。幾つかの場合、基準信号は、基準信号に関連するグループ識別が２つ以上の送信時間間隔において同じであるときに結合される。幾つかの例において、基準信号は、２つ以上の送信時間間隔のうちの第２の送信時間間隔中に２つ以上の送信時間間隔のうちの第１の送信時間間隔および第２の送信時間間隔から結合される。他の例において、基準信号は、２つ以上の送信時間間隔のうちの第３の送信時間間隔中に２つ以上の送信時間間隔の第１の送信時間間隔、第２の送信時間間隔、および第３の送信時間間隔から結合される。幾つかの場合、物理ダウンリンク共有チャネル（ＰＤＳＣＨ）送信は、少なくとも第１の送信時間間隔および第２の送信時間間隔にわたって基準信号が結合されるまで最初の低いランクを使用し、ＰＤＳＣＨ送信は、第２の送信時間間隔に引き続いてより高いランクを使用する。ブロック１６１５の動作は、例えば、図７、図８、図９、および／または図１３の受信機モジュール７１０および／またはワイヤレス通信管理モジュール７１５および／または関連する受信機／アンテナによって実行され得る。
【０１０３】
[0122]従って、方法１６００は、ワイヤレス通信を提供し得る。方法１６００は単なる１つの実装であるにすぎないことおよび方法１６００の動作は他の実装が可能であるようにするために再アレンジされるかまたはその他の方法で変更され得ることが注記されるべきである。さらに、上記のように、受信機モジュール７１０の構造上の実装例は、図１３のアンテナ１３５２−ａ乃至１３５２−ｎを伴う送信変調器／受信復調器１３５４−ａ乃至１３５４−ｎであり得る。方法１６００の通信物は、例えば、１つまたは複数の基地局１０５（例えば、ｅＮＢ）と１つまたは複数のＵＥ１１５との間で図１に関連して説明されるワイヤレス通信システム１００の一部分を使用して送信され得る。さらに加えて、システム帯域幅内の無線リソースは、図３、図５、および図６に関連して説明されるようなレガシー制御領域と低レイテンシー領域とを含み得る。そのような構成は、ＦＤＭ通信またはＴＤＭ通信のいずれかとともに使用され得る。レガシー制御領域は、幾つかの例においては、様々なレガシー制御情報とシグナリング情報とを含み得る、各サブフレームの第１の１つまたは複数のシンボルを含み得る。幾つかの例において、レガシー制御領域はまた、図２に関して論じられるような、幾つかのサブフレームの中央の６つのリソースブロックとＣＲＳリソース要素とを含み得る。上述されるように、幾つかの例において、ＤＭ−ＲＳのような基準信号は、複数のＴＴＩのシンボルで送信され得、ＤＭ−ＲＳは、ＵＥ  ＩＤまたはグループＩＤに関連するリソースを使用して送信され得る。
【０１０４】
[0123]図１７は、本開示の様々な態様による、ワイヤレス通信のための方法１７００の例を示したフローチャートである。明確化のため、方法１７００は、以下では、図１、図１２および／または図１３に関連して説明される、基地局１０５のうちの１つまたは複数の態様、および／または、図１０および／または図１１に関連して説明されるデバイスのうちの１つまたは複数の態様に関連して説明される。幾つかの例において、基地局は、以下において説明される機能を実行するために基地局の機能上の要素を制御するためのコードの１つまたは複数の組を実行し得る。さらに加えてまたは代替として、基地局は、専用ハードウェアを使用して以下において説明される機能のうちの１つまたは複数を実行し得る。
【０１０５】
[0124]ブロック１７０５において、方法１７００は、少なくとも１つユーザ機器（ＵＥ）が２つ以上の送信時間間隔において送信された基準信号を結合するように構成されると決定することを含み得る。ブロック１７０５の動作は、図１０、図１１、図１２、および／または図１３のワイヤレス通信管理モジュール１０１５によって実行され得る。
【０１０６】
[0125]ブロック１７１０において、方法は、２つ以上の送信時間間隔において送信された基準信号が結合され得るという指示を送信することを含み得る。ブロック１７１０における動作は、例えば、図１０、図１１、図１２、および／または図１３の送信機モジュール１０２０および／またはワイヤレス通信管理モジュール１０１５および／または関連する受信機／アンテナによって実行され得る。
【０１０７】
[0126]ブロック１７１５において、方法は、２つ以上の送信時間間隔中に基準信号を送信することを含み得る。ブロック１７１０における動作は、例えば、図１０、図１１、図１２、および／または図１３の送信機モジュール１０２０および／またはワイヤレス通信管理モジュール１０１５および／または関連する受信機／アンテナによって実行され得る。
【０１０８】
[0127]従って、方法１７００は、ワイヤレス通信を提供し得る。方法１７００は単なる１つの実装であるにすぎないことおよび方法１７００の動作は他の実装が可能であるようにするために再アレンジされるかまたはその他の方法で変更され得ることが注記されるべきである。さらに、上記のように、送信機モジュール１０２０の構造上の実装例は、図１３のアンテナ１３３４−ａ乃至１３３４−ｘを伴う送信変調器／受信復調器１３３２−ａ乃至１３３２−ｘであり得る。方法１７００の通信物は、例えば、１つまたは複数の基地局１０５（例えば、ｅＮＢ）と１つまたは複数のＵＥ１１５との間で図１に関連して説明されるワイヤレス通信システム１００の一部分を使用して送信され得る。さらに、システム帯域幅内の無線リソースは、図３、図５、および図６に関連して説明されるようなレガシー制御領域と低レイテンシー領域とを含み得る。そのような構成は、ＦＤＭ通信またはＴＤＭ通信のいずれかとともに使用され得る。レガシー制御領域は、幾つかの例においては、様々なレガシー制御情報とシグナリング情報とを含み得る、各サブフレームの第１の１つまたは複数のシンボルを含み得る。幾つかの例において、レガシー制御領域はまた、図２に関して論じられるような、幾つかのサブフレームの中央の６つのリソースブロックとＣＲＳリソース要素とを含み得る。上述されるように、幾つかの例において、ＤＭ−ＲＳのような基準信号は、複数のＴＴＩのシンボルで送信され得、ＤＭ−ＲＳは、ＵＥ  ＩＤまたはグループＩＤに関連するリソースを使用して送信され得る。
【０１０９】
[0128]幾つかの例において、方法１４００乃至１７００のうちの２つ以上からの態様が結合され得る。方法１４００、１５００、１６００、および１７００は単なる１つの実装例であるにすぎないことおよび方法１４００乃至１７００の動作は他の実装が可能であるようにするために再アレンジされるかまたはその他の方法で変更され得ることが注記されるべきである
[0129]本明細書において説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに関して使用され得る。用語「システム」および「ネットワーク」は、しばしば互換可能な形で使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００規格、ＩＳ−９５規格、およびＩＳ−８５６規格を網羅する。ＩＳ−２０００リリース０およびＡは、ＣＤＭＡ２０００  １Ｘ、１Ｘ、等と共通して呼ばれる。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））と、ＣＤＭＡのその他の変形と、を含む。ＴＤＭＡシステムは、グローバル移動通信システム（ＧＳＭ（登録商標））のような無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等のような無線技術を実装し得る。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、“第３世代パートナーシッププロジェクト”（３ＧＰＰ）という名称の団体からの文書において説明される。ＣＤＭＡ２０００およびＵＭＢは、“第３世代パートナーシッププロジェクト２”（３ＧＰＰ２）という名称の団体からの文書において説明される。本明細書において説明される技法は、上記のシステムおよび無線技術、および、免許不要のおよび／または共有される帯域幅にわたるセルラー（例えば、ＬＴＥ）通信を含む他のシステムおよび無線技術に関して使用することができる。しかしながら、上の説明は、例を目的としてＬＴＥ／ＬＴＥ−Ａシステムについて説明するものであり、上の説明の多くの部分においてはＬＴＥ用語が使用されるが、技法は、ＬＴＥ／ＬＴＥ−Ａ適用例を越えて適用可能である。
【０１１０】
[0130]添付された図面に関連して上に記載される詳細な説明は、例について説明するものであり、実装され得るまたは請求項の範囲内にある唯一の例を表すものではない。用語「例」および「例示的な」は、この説明において使用されるときには、「例、実例、または例示として働くこと」を意味し、「好ましい」または「他の例よりも有利である」ことは意味しない。詳細な説明は、説明される技法の理解を提供することを目的とした具体的な詳細を含む。しかしながら、これらの技法は、これらの具体的な詳細なしで実行され得る。幾つかの例において、周知の構造および装置は、説明される例の概念を不明瞭にすることを回避するためにブロック図の形で示される。
【０１１１】
[0131]情報および信号は、様々な異なる技術および技法のうちのいずれかを使用して表され得る。例えば、上記の説明全体を通じて参照されることがあるデータ、命令、コマンド、情報、信号、ビット、シンボル、およびチップは、電圧、電流、電磁波、磁場、磁粒子、光学場、光学粒子、またはそれらの任意の組合せによって表され得る。
【０１１２】
[00132]本明細書における開示に関連して説明される様々な例示的な論理ブロックおよびコンポーネントは、本明細書において説明される機能を実行するように設計された汎用プロセッサ、デジタル信号プロセッサ（ＤＳＰ）、ＡＳＩＣ、ＦＰＧＡ、他のプログラマブル論理デバイス、ディスクリートゲート論理、ディスクリートトランジスタ論理、ディスクリートハードウェアコンポーネント、またはそれらの任意組合せ、を使用して実装または実行され得る。汎用プロセッサはマイクロプロセッサであり得るが、代替においては、プロセッサは、従来のどのようなプロセッサ、コントローラ、マイクロコントローラ、またはステートマシンであってもよい。プロセッサはまた、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、または任意の他のそのような構成、として実装され得る。
【０１１３】
[0133]本明細書において説明される機能は、ハードウェア、プロセッサによって実行されるソフトウェア、ファームウェア、またはそれらの任意の組み合わせに実装され得る。プロセッサによって実行されるソフトウェアに実装される場合は、それらの機能は、１つまたは複数の命令またはコードとしてコンピュータ可読媒体において格納され得またはコンピュータ可読媒体を通じて送信され得る。他の例および実装は、本開示および添付された請求項の範囲および精神内にある。例えば、ソフトウェアの性質に起因して、上述される機能は、プロセッサによって実行されるソフトウェア、ハードウェア、ハードワイヤリング、またはこれらのいずれかの組み合わせを使用して実装されることができる。機能を実装する特徴はまた、様々な位置に物理的に配置され得、機能の一部分が異なる物理的場所において実装されるようにするために分散されることを含む。請求項内を含む本明細書において使用される場合、表現「および／または」は、２つ以上の項目のリストにおいて使用されるときには、記載される項目のうちのいずれか１つそれ自体が使用されることができること、または、記載される項目のうちの２つ以上の任意の組み合わせが使用されることができることを意味する。例えば、ある構成が、構成要素Ａ、Ｂ、および／またはＣを含むとして記述される場合は、その構成は、Ａのみ、Ｂのみ、Ｃのみ、ＡとＢの組み合わせ、ＡとＣの組み合わせ、ＢとＣの組み合わせ、または、Ａ、Ｂ、およびＣの組み合わせを含むことができる。さらに、請求項内を含む本明細書において使用される場合、項目のリスト（例えば、「〜のうちの少なくとも１つ」または「〜のうちの１つまたは複数の」のような句によって始まる項目のリスト）において使用される「または」は、離接的リストを示し、従って、例えば、「Ａ、Ｂ、またはＣのうちの少なくとも１つ」のリストは、ＡまたはＢまたはＣまたはＡＢまたはＡＣまたはＢＣまたはＡＢＣ（すなわち、ＡおよびＢおよびＣ）を意味する。
【０１１４】
[0134]コンピュータ可読媒体は、コンピュータ記憶媒体と、１つの場所から他へのコンピュータプログラムの転送を容易にする任意の媒体を含む通信媒体と、の両方を含む。記憶媒体は、汎用または専用コンピュータによってアクセスされることができる任意の利用可能な媒体であり得る。例として、および限定することなしに、コンピュータ可読媒体は、ＲＡＭ、ＲＯＭ、ＥＥＰＲＯＭ（登録商標）、フラッシュメモリ、ＣＤ−ＲＯＭまたは他の光学ディスクストレージ、磁気ディスクストレージまたはその他の磁気記憶デバイス、または、希望されるプログラムコード手段を命令またはデータ構造の形態で搬送または格納するために使用されることができおよび汎用または専用コンピュータ、または汎用または専用プロセッサによってアクセスされることができる任意の他の媒体、を備えることができる。さらに、任意の接続は、コンピュータ可読媒体であると適切に呼ばれる。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬは、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められる。
【０１１５】
[00135]本開示の前の説明は、当業者が本開示を製造または使用することを可能にするために提供される。本開示に対する様々な変更は、当業者にとって容易に明確になるであろう、および本明細書において定められる一般原理は、本開示の適用範囲から逸脱せずに他の変形に対して適用され得る。以上のように、本開示は、本明細書において説明される例および設計に限定されるものではなく、本明細書において開示される原理および新規の特徴に一致する限りにおいて最も広範な適用範囲が認められるべきである。
以下に本願の出願当初の特許請求の範囲に記載された発明を付記する。
［Ｃ１］
ワイヤレス通信のための方法であって、
２つ以上の送信時間間隔において送信された基準信号が結合可能であるという指示を受信すること、ここにおいて、前記基準信号は、グループ識別またはユーザ機器（ＵＥ）識別に関連するリソースを使用して送信される、と、
前記２つ以上の送信時間間隔中に送信物を受信することと、
前記指示に少なくとも部分的に基づいて前記２つ以上の送信時間間隔中に前記送信物に含められた前記基準信号を結合することと、を備える、ワイヤレス通信のための方法。
［Ｃ２］
前記指示は、明示のシグナリングを通じて受信される、
Ｃ１に記載の方法。
［Ｃ３］
前記指示は、１つまたは複数の信号において受信される、
Ｃ１に記載の方法。
［Ｃ４］
前記指示を前記受信することは、
１つまたは複数の送信時間間隔に関するダウンリンクグラントを受信することと、
前記ダウンリンクグラントに少なくとも部分的に基づいて前記２つ以上の送信時間間隔からの前記基準信号が結合されることができると決定することと、を備える、
Ｃ１に記載の方法。
［Ｃ５］
前記２つ以上の送信時間間隔は、連続する送信時間間隔である、
Ｃ４に記載の方法。
［Ｃ６］
前記２つ以上の送信時間間隔は、非連続的な送信時間間隔の所定の数内である、
Ｃ４に記載の方法。
［Ｃ７］
前記指示は、スケジューリンググラントを通じて受信されるＣ１に記載の方法。
［Ｃ８］
前記指示は、前記スケジューリンググラントを送信するために使用される制御チャネルフォーマットを通じて受信される、
Ｃ７に記載の方法。
［Ｃ９］
前記基準信号の前記結合は、前記スケジューリンググラントおよび少なくとも１つ他の送信物が連続する送信時間間隔の設定された数内に送信されると決定することに少なくとも部分的に基づいて決定される、
Ｃ７に記載の方法。
［Ｃ１０］
スクランブリングシーケンスにより基準信号の存在を決定することをさらに備え、ここにおいて、前記グループ識別は、前記スクランブリングシーケンスと関連される、
Ｃ１に記載の方法。
［Ｃ１１］
前記基準信号は、前記基準信号に関連する前記グループ識別が前記２つ以上の送信時間間隔において同じであるときに結合される、
Ｃ１に記載の方法。
［Ｃ１２］
前記結合することは、
前記２つ以上の送信時間間隔のうちの第２の送信時間間隔中に前記２つ以上の送信時間間隔のうちの第１の送信時間間隔および前記第２の送信時間間隔からの基準信号を結合することと、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの基準信号を結合することと、を備える、
Ｃ１に記載の方法。
［Ｃ１３］
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
Ｃ１２に記載の方法。
［Ｃ１４］
前記２つ以上の送信時間間隔は、各々、第２のタイプの送信時間間隔の継続時間よりも小さい継続時間を有する第１のタイプの送信時間間隔を備える、
Ｃ１に記載の方法。
［Ｃ１５］
ワイヤレス通信のための装置であって、
２つ以上の送信時間間隔において送信された基準信号が結合可能であるという指示を受信するための手段、ここにおいて、前記基準信号は、グループ識別またはユーザ機器（ＵＥ）識別に関連するリソースを使用して送信される、と、
前記２つ以上の送信時間間隔中に送信物を受信するための手段と、
前記指示に少なくとも部分的に基づいて前記２つ以上の送信時間間隔中に前記送信物に含められた前記基準信号を結合するための手段と、を備える、ワイヤレス通信のための装置。
［Ｃ１６］
前記指示を受信するための前記手段は、
明示のシグナリングを通じて前記指示を受信するための手段を備える、
Ｃ１５に記載の装置。
［Ｃ１７］
前記指示を受信するための前記手段は、１つまたは複数の制御信号において前記指示を受信するために動作可能である、
Ｃ１５に記載の装置。
［Ｃ１８］
前記指示を受信するための前記手段は、
１つまたは複数の送信時間間隔に関するダウンリンクグラントを受信するための手段と、
前記ダウンリンクグラントに少なくとも部分的に基づいて前記２つ以上の送信時間間隔からの前記基準信号が結合されることができると決定するための手段と、を備える、
Ｃ１５に記載の装置。
［Ｃ１９］
前記２つ以上の送信時間間隔は、連続する送信時間間隔である、
Ｃ１８に記載の装置。
［Ｃ２０］
前記２つ以上の送信時間間隔は、非連続的な送信時間間隔の所定の数内である、
Ｃ１８に記載の装置。
［Ｃ２１］
前記指示を受信するための前記手段は、スケジューリンググラントを通じて前記指示を受信するために動作可能である、
Ｃ１５に記載の装置。
［Ｃ２２］
前記指示を受信するための手段は、前記スケジューリンググラントを送信するために使用される制御チャネルフォーマットを通じて前指示を受信するために動作可能である、  Ｃ２１に記載の装置。
［Ｃ２３］
前記基準信号の前記結合は、前記スケジューリンググラントおよび少なくとも１つ他の送信物が連続する送信時間間隔の設定された数内に送信されると決定することに少なくとも部分的に基づいて決定される、
Ｃ２１に記載の装置。
［Ｃ２４］
前記グループ識別は、スクランブリングシーケンスに関連され、および、ここにおいて、前記指示を受信するための前記手段は、
前記スクランブリングシーケンスにより基準信号の存在を決定するための手段を備える、
Ｃ１５に記載の装置。
［Ｃ２５］
前記基準信号に関連する前記グループ識別が前記２つ以上の送信時間間隔において同じであるときに前記基準信号を結合するための手段をさらに備える、
Ｃ１５に記載の装置。
［Ｃ２６］
結合するための前記手段は、
前記２つ以上の送信時間間隔のうちの第２の送信時間間隔中に前記２つ以上の送信時間間隔のうちの第１の送信時間間隔および前記第２の送信時間間隔からの前記基準信号を結合するための手段と、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの前記基準信号を結合するための手段と、を備える、
Ｃ１５に記載の装置。
［Ｃ２７］
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
Ｃ２６に記載の装置。
［Ｃ２８］
前記２つ以上の送信時間間隔は、各々、第２のタイプの送信時間間隔の継続時間よりも小さい継続時間を有する第１のタイプの送信時間間隔を備える、
Ｃ１５に記載の装置。
［Ｃ２９］
ワイヤレス通信のための装置であって、
プロセッサと、
前記プロセッサと電子的通信状態にあるメモリと、
前記メモリに格納された命令と、を備え、前記命令は、
２つ以上の送信時間間隔において送信された基準信号が結合可能であるという指示を受信し、ここにおいて、前記基準信号は、グループ識別またはユーザ機器（ＵＥ）識別に関連するリソースを使用して送信され、
前記２つ以上の送信時間間隔中に送信物を受信し、および、
前記指示に少なくとも部分的に基づいて前記２つ以上の送信時間間隔中に前記送信物に含められた前記基準信号を結合するために前記プロセッサによって実行可能である、ワイヤレス通信のための装置。
［Ｃ３０］
ワイヤレス通信のためのコンピュータによって実行可能なコードを格納する非一時的なコンピュータ可読媒体であって、前記コードは、
２つ以上の送信時間間隔において送信された基準信号が結合可能であるという指示を受信し、ここにおいて、前記基準信号は、グループ識別またはユーザ機器（ＵＥ）識別に関連するリソース内で送信され、
前記２つ以上の送信時間間隔中に送信物を受信し、および、
前記指示に少なくとも部分的に基づいて前記２つ以上の送信時間間隔中に前記送信物に含められた前記基準信号を結合するためにプロセッサによって実行可能である、非一時的なコンピュータ可読媒体。
【図１】
0006599440.tif 000002
【図２】
0006599440.tif 000003
【図３】
0006599440.tif 000004
【図４】
0006599440.tif 000005
【図５】
0006599440.tif 000006
【図６】
0006599440.tif 000007
【図７】
0006599440.tif 000008
【図８】
0006599440.tif 000009
【図９】
0006599440.tif 000010
【図１０】
0006599440.tif 000011
【図１１】
0006599440.tif 000012
【図１２】
0006599440.tif 000013
【図１３】
0006599440.tif 000014
【図１４】
0006599440.tif 000015
【図１５】
0006599440.tif 000016
【図１６】
0006599440.tif 000017
【図１７】
0006599440.tif 000018